(57)【要約】 【課題】バックライトの光源の点灯比率を変化させて調光を行う従来の液晶表示装置では、画素の表示素子に表示データに対応する電圧を書き込む開始時にバックライトの光源を点灯しているので、コントラストが低下する。【解決手段】液晶表示パネルの信号線に表示用データに対応する印加電圧を印加するソースドライバと、間欠的に点灯する間欠点灯が可能であり、液晶表示パネルを照明するバックライト１１と、信号線を介して印加電圧が液晶表示素子に書き込まれた電圧に基づいて、バックライト１１の所定の点灯期間についての点灯開示時期、点灯終了時期、及び所定の点灯期間の真中の時期の少なくともいずれか一つの時期を決定するバックライト制御部１９とを備える。【選択図】図３
2008096927.tif 000002
【特許請求の範囲】
【請求項１】
マトリクス状に形成された信号線及び走査線と、前記信号線及び走査線の交点に対応して形成された液晶表示素子を有する液晶表示パネルと、
前記液晶表示パネルの信号線に表示用データに対応する印加電圧を印加するソースドライバと、
間欠的に点灯する間欠点灯が可能であり、前記液晶表示パネルを照明するバックライトと、
前記信号線を介して前記印加電圧が前記液晶表示素子に書き込まれた電圧に基づいて、前記バックライトの所定の点灯期間についての点灯開示時期、点灯終了時期、及び前記所定の点灯期間の真中の時期の少なくともいずれか一つの時期を決定するバックライト制御部とを備えた、液晶表示装置。
【請求項２】
前記液晶表示パネルは、前記液晶表示素子毎に蓄積容量を有し、
前記信号線を介して前記印加電圧が前記液晶表示素子に書き込まれた電圧とは、前記信号線を介して前記蓄積容量に保持された前記印加電圧が前記液晶表示素子に書き込まれた電圧である、請求項１記載の液晶表示装置。
【請求項３】
前記バックライト制御部は、前記液晶表示素子に書き込まれた電圧が、前記印加電圧に到達する場合、前記所定の点灯期間の真中の時期が、（１）１フレーム期間または１フィールド期間に最後に走査される走査線上に存在する前記液晶表示素子に書き込まれた電圧が前記印加電圧に到達する時期と（２）１フレーム期間または１フィールド期間に最初に走査される走査線上に存在する前記液晶表示素子に書き込まれた電圧が前記印加電圧から離脱する時期との真中の時期に一致するよう、前記点灯開始時期と前記点灯終了時期とを決定する、請求項２記載の液晶表示装置。
【請求項４】
前記バックライト制御部は、前記液晶表示素子に書き込まれた電圧が、前記印加電圧に到達しない場合、前記所定の点灯期間の真中の時期が、真中の走査線上に存在する前記液晶表示素子に書き込まれた電圧が前記印加電圧に最も近付く時期に一致するよう、前記点灯開始時期と前記点灯終了時期とを決定する、請求項２記載の液晶表示装置。
【請求項５】
前記バックライト制御部は、前記液晶表示素子に書き込まれた電圧の立ち上がりの傾きの大きさと立ち下がりの傾きの大きさとの比率に応じて、前記点灯開始時期と前記点灯終了時期とを補正する、請求項４記載の液晶表示装置。
【請求項６】
前記バックライト制御部は、前記液晶表示素子に書き込まれた電圧を前記点灯開始時期から前記点灯終了時期まで積分して得られる面積が極値をとるように、前記点灯開始時期と前記点灯終了時期とを決定する、請求項２記載の液晶表示装置。
【請求項７】
前記所定の点灯期間は、可変することが出来る、請求項２記載の液晶表示装置。
【請求項８】
前記液晶表示パネルには、ＯＣＢモード液晶が用いられており、
前記液晶表示パネルは、時間的な加法混色でカラー表示を行うものであり、
前記ソースドライバは、１フレームまたは１フィールドの期間内に設けられた色毎の表示期間に表示用データのその色に対応する前記印加電圧を前記信号線に印加し、その各色の表示期間の後にそれぞれ設けられた黒挿入期間に黒色に対応する黒印加電圧を前記信号線に印加するものであり、
前記色毎の表示期間に、前記信号線を介して前記蓄積容量に保持された前記印加電圧が前記液晶表示素子に書き込まれる電圧の程度に基づいて、前記バックライトの所定の点灯期間についての点灯開示時期、点灯終了時期、及び前記所定の期間の真中の時期の少なくとも一つの時期を決定する、請求項２記載の液晶表示装置。
【請求項９】
前記色毎の表示期間とは、赤色を表示する赤色表示期間、緑色を表示する緑色表示期間、及び青色を表示する青色表示期間である、請求項８記載の液晶表示装置。
【請求項１０】
前記バックライトは、前記走査線に平行に、複数のバックライトブロックに分割されており、
前記ソースドライバは、１フレームまたは１フィールドの期間内に設けられた表示期間に表示用データに対応する印加電圧を前記信号線に印加し、前記表示期間の後に設けられた黒挿入期間に黒色に対応する黒印加電圧を前記信号線に印加するものであり、
前記バックライト制御部は、分割されている各バックライトブロックに対向する、前記液晶表示パネルの表示領域の部分が前記黒挿入期間である場合、そのバックライトブロックを、前記所定の点灯期間を除いて消灯させる、請求項２記載の液晶表示装置。
【請求項１１】
前記バックライト制御部は、前記液晶表示素子に書き込まれた電圧が、前記印加電圧に到達する場合、それぞれの前記バックライトブロックについて、前記所定の点灯期間の真中の時期が、（１）１フレーム期間または１フィールド期間にそのバックライトブロックについて最後に走査される走査線上に存在する前記液晶表示素子に書き込まれた電圧が前記印加電圧に到達する時期と（２）１フレーム期間または１フィールド期間にそのバックライトブロックについて最初に走査される走査線上に存在する前記液晶表示素子に書き込まれた電圧が前記印加電圧から離脱する時期との真中の時期に一致するよう、そのバックライトブロックについて前記点灯開始時期と前記点灯終了時期とを決定する、請求項１０記載の液晶表示装置。
【請求項１２】
前記バックライト制御部は、前記液晶表示素子に書き込まれた電圧が、前記印加電圧に到達しない場合、それぞれの前記バックライトブロックについて、そのバックライトブロックの前記所定の点灯期間の真中の時期が、そのバックライトブロックの真中の走査線上に存在する前記液晶表示素子に書き込まれた電圧が前記印加電圧に最も近付く時期に一致するよう、そのバックライトブロックの前記点灯開始時期と前記点灯終了時期とを決定する、請求項１０記載の液晶表示装置。
【請求項１３】
マトリクス状に形成された信号線及び走査線と、前記信号線及び走査線の交点に対応して形成された液晶表示素子を有する液晶表示パネルと、
前記液晶表示パネルの信号線に表示用データに対応する印加電圧を印加するソースドライバと、
間欠的に点灯する間欠点灯が可能であり、前記液晶表示パネルを照明するバックライトとを備えた液晶表示装置を駆動する液晶表示装置の駆動方法であって、
前記信号線を介して前記印加電圧が前記液晶表示素子に書き込まれた電圧の程度に基づいて、前記バックライトの所定の点灯期間についての点灯開示時期、点灯終了時期、及び前記所定の点灯期間の真中の時期の少なくともいずれか一つの時期を決定するバックライト制御ステップを備えた、液晶表示装置の駆動方法。
【請求項１４】
請求項１記載の液晶表示装置の、前記信号線を介して前記印加電圧が前記液晶表示素子に書き込まれた電圧の程度に基づいて、前記バックライトの所定の点灯期間についての点灯開示時期、点灯終了時期、及び前記所定の点灯期間の真中の時期の少なくともいずれか一つの時期を決定するバックライト制御部としてコンピュータを機能させるためのプログラム。
【請求項１５】
請求項１４記載のプログラムを記録した記録媒体であって、コンピュータにより処理可能な記録媒体。
【発明の詳細な説明】
【技術分野】
【０００１】
本発明は、間欠的に点灯する間欠点灯が可能である、液晶表示パネルを照明するバックライトを備えた液晶表示装置、液晶表示装置の駆動方法、プログラム、及び記録媒体に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図１５は、ＯＣＢモードの表示素子が有する液晶分子の配向状態を模式的に示した断面図である。図１５（ａ）および図１５（ｂ）は、電圧印加状態を示した断面図であり、図１５（ｃ）は、電圧無印加状態を示した断面図である。
【０００５】
ＯＣＢモードの表示素子を用いた液晶表示装置を構成する液晶表示パネルのガラス基板６１の間には、図１５（ａ）等に液晶分子６２として示すように、ネマチック液晶が注入されている。そして、電圧を印加していない液晶の配向状態は、スプレイ状態６３と呼ばれている。ＯＣＢモードの表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図１５（ｃ）に示すスプレイ状態６３から図１５（ａ）、図１５（ｂ）に示すベンド状態６４ａ、６４ｂに転移させる駆動のことを言う。このベンド状態６４ａ、６４ｂを用いて表示を行うのが、ＯＣＢモードの表示素子を用いた液晶表示装置の特徴であり、ＯＣＢモードの表示素子を用いた液晶表示装置は、電圧の大きさによってベンド状態を変化させることにより、パネルの透過率を変化させるものである。
【０００６】
図１５（ａ）に示すベンド状態６４ａは、白表示をしている場合のベンド状態を示し、図１５（ｂ）のベンド状態６４ｂは、黒表示をしている場合のベンド状態を示している。
【０００７】
また、ＯＣＢモードの表示素子を用いた液晶表示装置では、その液晶表示パネルに２ボルト以下の電圧を印加し続けると、液晶の配向状態は、ベンド状態６４ａ、６４ｂからスプレイ状態６３に徐々に移行してしまう（以下この移行を逆転移と呼ぶ）。このような逆転移を防止するために、ＯＣＢモードの表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号に対応する電圧とは別に黒色に対応する電圧を印加することにより、逆転移を防止する駆動である。逆転移防止駆動には、逆転移の防止のために画素に黒色に対応する電圧を印加する動作と、画素に映像信号に対応する電圧を印加する動作とを交互に行う、２倍速変換と呼ばれる逆転移防止駆動がある（例えば、特許文献１参照）。以下この２倍速変換を黒挿入駆動と呼ぶ。
【０００９】
従って、従来のＯＣＢモードの表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【００１０】
上述した、黒挿入駆動を用いて、黒挿入期間を長くすることにより、ＯＣＢモードの表示素子を用いた液晶表示装置の表示を、ＣＲＴのようなインパルス型の表示に近づけることが出来、従って、動画視認性を向上させることが出来る。ＯＣＢモードの表示素子の利点である高速応答性を利用することが出来るからである。また、黒挿入駆動を用いることにより、動画視認性を向上させるのみならず、高いコントラストの表示を行うことも可能になる。
【００１１】
なお、現在広く使用されているＴＮ（Ｔｗｉｓｔｅｄ  Ｎｅｍａｔｉｃ）配向液晶表示パネルにおいても、動画視認性を向上させるために、上述した２倍速変換が用いられることがある。このような場合の液晶表示装置の駆動も、黒挿入駆動と呼ぶことにする。
【００１２】
さらに、近年は、ＬＥＤを用いたバックライトの普及や、冷陰極管の高速応答性が向上したことに伴い、ソースドライバ等による液晶表示パネルの駆動に連動してバックライトを駆動するバックライトの駆動方式も実施されつつある。
【００１３】
また、最近では、フィールドシーケンシャルカラー方式の液晶表示装置の開発が進められている（例えば、特許文献２参照）。
【００１４】
フィールドシーケンシャルカラー方式の液晶表示装置は、各画素にカラーフィルタを設けず、１画素で３原色（Ｒ、Ｇ、Ｂ）の画像を順次表示する液晶表示装置であり、従来の駆動方式の液晶表示装置に比べて、高透過率、高解像度化を実現出来る等の利点を有している。
【００１５】
従って、ＯＣＢモードの表示素子を用い、黒挿入駆動を行い、フィールドシーケンシャルカラー方式を採用すると、ＣＲＴのようなインパルス型の表示が実現出来るとともに、高透過率、高解像度で、かつ高コントラストの液晶表示装置を実現することが出来る。
【００１６】
図１６は、従来のフィールドシーケンシャルカラー方式で、黒挿入駆動を行うとともに、ソースドライバ等による液晶表示パネルの駆動に連動してバックライトを駆動する従来の液晶表示装置１０１のブロック図である。
【００１７】
液晶表示装置１０１は、液晶表示パネル１０、バックライト１１１、ソースドライバ２、ゲートドライバ３、コントローラ４、フレームメモリ２２、入力電源１６、液晶駆動電圧発生回路１７、調光部１１８、バックライト制御部１１９、及び光センサ部１２６を備えている。
【００１８】
液晶表示パネル１０は、アクティブマトリクス方式の液晶表示パネルである。すなわち、液晶表示パネル１０は、アレイ基板上に、信号線と走査線とがマトリックス状に配置され、それらの交点毎に画素が形成されている。そして各画素は、スイッチング素子、蓄積容量、及び表示素子を有している。さらに、表示素子は、画素電極、対向電極、及び画素電極と対向電極とで狭持された液晶層等から構成される。そして、この液晶層としてＯＣＢモード液晶が用いられている。また、液晶表示装置１０１はフィールドシーケンシャル方式であるので、液晶表示パネル１０の対向基板には、赤色、緑色、及び青色のカラーフィルタは形成されていない。
【００１９】
バックライト１１１は、液晶表示パネル１０の背面に配置されており、光源であるＲ（Ｒｅｄ）、Ｇ（Ｇｒｅｅｎ）、Ｂ（Ｂｌｕｅ）の各色の光を発光するＬＥＤや、ＬＥＤから射出された光を液晶表示パネル１０に導く導光板等が設けられている。
【００２０】
そして、バックライト１１１には、Ｒ、Ｇ、Ｂの各色の輝度を検知する光センサ部１２６が配置されている。
【００２１】
入力電源１６は、バックライト１１１、コントローラ４、液晶駆動電圧発生回路１７、及び調光部１１８等に電力を供給するものである。
【００２２】
液晶駆動電圧発生回路１７は、ソースドライバ２およびゲートドライバ３に供給する電圧を調整する回路である。
【００２３】
ゲートドライバ３は、液晶表示パネル１０の走査線にゲート信号を供給する回路である。
【００２４】
ソースドライバ２は、表示期間のうち各色（Ｒ、Ｇ、Ｂ）の表示期間に、表示用信号の各色に対応する電圧を供給し、黒挿入期間には黒色に対応する電圧を、液晶表示パネル１０の信号線に供給する回路である。
【００２５】
コントローラ４は、信号処理部２１、及びタイミング制御部２３を備えており、ソースドライバ２は、Ｄ／Ａ変換部２４およびシフトレジスタ２５を備えている。
【００２６】
調光部１１８は、光センサ部１２６によって検知されたバックライト１１１の各色（Ｒ、Ｇ、Ｂ）の輝度に基づいて、バックライト１１１の各色（Ｒ、Ｇ、Ｂ）のＬＥＤの点灯期間の、各色の表示期間（赤表示期間、緑表示期間期間、青表示期間）に対する比率を調整することにより、バックライトの輝度及び／または色度を調光する回路である。
【００２７】
なお、以後、それぞれの色の表示期間に対するそれぞれの色のＬＥＤの点灯期間の比率をその色の点灯比率と呼ぶことにする。
【００２８】
タイミング制御部２３は、ゲートドライバ３を動作させるタイミングや、画像信号をソースドライバ２に送るタイミングを制御するとともに、ソースドライバ２等による液晶表示パネル１０の駆動にバックライト１１１の点灯消灯を連動させるための信号であるバックライト制御信号をバックライト制御部１１９に送る回路である。
【００２９】
バックライト制御部１１９は、タイミング制御部２３から送られてくるバックライト制御信号に従って、バックライト１１１の点灯消灯を制御するものである。
【００３０】
フレームメモリ２２は、１画面分の映像信号を記憶するメモリである。
【００３１】
次に、このような従来の液晶表示装置１０１の動作を説明する。
【００３２】
液晶表示装置１０１の電源が入れられた際には、液晶表示パネル１０の液晶層は、図１５（ｃ）に示すようにスプレイ状態６３のままであるので、図１５（ａ）のベンド状態６４ａや図１５（ｂ）のベンド状態６４ｂに転移させる必要がある。そこで、液晶表示装置１０１の電源が入れられた際には、液晶表示装置１０１は、液晶層をスプレイ状態からベンド状態に転移させるために転移駆動を行う。すなわち、ソースドライバ２は、画素電極と対向電極との間の電圧が所定の時間だけ２０ボルトから２５ボルトという映像を表示する際の電圧よりも高い電圧になるように、転移駆動のための電圧として、信号線に２０ボルトから２５ボルトの電圧を印加する。従って、液晶層には転移駆動のための電圧が所定時間印加されることになるので、液晶表示パネル１０の液晶層は、スプレイ状態からベンド状態に転移し、液晶表示装置１０１の表示動作が可能となる。
【００３３】
上記のように転移駆動が完了し、表示動作が可能になると、液晶表示装置１０１は表示動作を開始する。
【００３４】
ＲＧＢデータである映像信号が、１画面分だけフレームメモリ２２に格納されると、信号処理部２１は、フレームメモリ２２から読み出した映像信号に対して階調補正やガンマ補正処理を行なうとともに、表示データの赤色のデータ、黒挿入駆動の黒色のデータ、表示データの緑色のデータ、黒挿入駆動の黒色のデータ、表示データの青色のデータ、黒挿入駆動の黒色のデータとなるように変換した後、シフトレジスタ２５に格納していく。
【００３５】
そして、コントローラ４のタイミング制御部２３は、液晶表示装置１０１が表示動作を行う際には、外部から入力される映像信号に応じて、ゲートドライバ３、ソースドライバ２にそれぞれ制御信号を送る。その結果、ゲートドライバ３は、各走査線に走査信号電圧を印加して、各画素のスイッチング素子を順次オンさせる。
【００３６】
表示期間には、ソースドライバ２は、ゲートドライバ３が各走査線に走査信号電圧を印加するタイミングに合わせて、各信号線に映像信号の各色に応じた電圧を印加する。そしてゲートドライバ３が走査線に走査信号電圧を印加すると、その走査線に配列されている各画素のスイッチング素子がオン状態になり、各信号線を通じてその走査線上に配列されている各画素の蓄積容量に映像信号に応じた電圧が保持されるとともに表示素子に、映像信号に応じた電圧が書き込まれる。これにより液晶表示パネル１０の液晶分子６２が変調され、バックライト１１１から出射される光の透過率が変化する。その結果、映像信号に対応する画像が液晶表示パネル１０に表示される。
【００３７】
また、黒挿入期間には、ソースドライバ２は、ゲートドライバ３が各走査線に走査信号電圧を印加するタイミングに合わせて、各信号線に黒色に対応する電圧を印加する。そしてゲートドライバ３が走査線に走査信号電圧を印加すると、その走査線に配列されている各画素のスイッチング素子がオン状態になり、各信号線を通じてその走査線上に配列されている各画素の蓄積容量に黒色に対応する電圧が保持されるとともに表示素子に、黒色に対応する電圧が書き込まれる。これにより液晶表示パネル１０の液晶分子６２が変調され、バックライト１１１から出射される光の透過率が変化する。その結果、黒色の画像が液晶表示パネル１０に表示される。
【００３８】
さらに、タイミング制御部２３は、上述したソースドライバ２等による液晶表示パネル１０の駆動に連動させるための信号であるバックライト制御信号をバックライト制御部１１９に供給する。バックライト制御信号としては、タイミング制御部２３が、ゲートドライバ３やソースドライバ２に送る制御信号を用いることが出来る。具体的には、バックライト制御信号としては、クロック信号、水平同期信号、及び垂直同期信号などを用いることが出来る。
【００３９】
バックライト制御部１１９は、タイミング制御部２３から送られてくるバックライト制御信号に従って、調光部１１８が決定した各色（Ｒ、Ｇ、Ｂ）のＬＥＤの点灯比率になるように、バックライト１１１の各色（Ｒ、Ｇ、Ｂ）のＬＥＤそれぞれの点灯消灯を制御する。なお、調光部１１８の動作については後述する。
【００４０】
すなわち、バックライト制御部１１９は、液晶表示パネル１０の表示画面で最初に走査される走査線上にある画素に各色に対応する電圧が書き込み始められると同時に、その色に対応するバックライト１１１のＬＥＤを点灯させる。そして、バックライト制御部１１９は、調光部１１８が決定したその色の点灯比率に対応する期間だけその色に対応したＬＥＤを点灯させた後、その色に対応するＬＥＤを消灯させる。
【００４１】
例えば、液晶表示装置１０１が、１フレーム期間（または１フィールド期間）に、赤表示期間、黒挿入期間、緑表示期間、黒挿入期間、青表示期間、黒挿入期間の順に表示データの各色の表示及び黒挿入駆動のための黒色の表示を行う場合、バックライト制御部１１９は以下のようにバックライト１１１の点灯消灯を制御する。
【００４２】
１フレーム期間（または１フィールド期間）が開始されると赤表示期間になる。そうすると、バックライト制御部１１９は、最初に走査される走査線上の画素に表示データの赤色に対応する電圧が書き込み始められたタイミングで、バックライト１１１の光源である赤色のＬＥＤを点灯する。そして、調光部１１８が決定した赤色の点灯比率に対応する期間だけバックライト１１１の光源である赤色のＬＥＤを点灯させた後、その赤色のＬＥＤを消灯させる。ここで、例えば赤色の点灯比率が３０パーセントであると調光部１１８が決定しているとすると、バックライト制御部１１９は、赤表示期間の３０パーセントの期間だけバックライト１１１を点灯させ、その後その赤色のＬＥＤを消灯させる。
【００４３】
次に、赤表示期間が経過し、赤表示期間の次の黒挿入期間も経過し、緑表示期間が開始される。そうすると、バックライト制御部１１９は、最初に走査される走査線上の画素に表示データの緑色に対応する電圧が書き込み始められるタイミングで、バックライト１１１の光源である緑色のＬＥＤを点灯させる。そして、調光部１１８が決定した緑色の点灯比率に対応する期間だけバックライト１１１の光源である緑色のＬＥＤを点灯させた後、その緑色のＬＥＤを消灯させる。例えば、緑色の点灯比率が３５パーセントであると調光部１１８が決定した場合には、緑表示期間の３５パーセントの期間だけバックライト１１１の光源である緑色のＬＥＤを点灯させ、その後その緑色のＬＥＤを消灯させる。
【００４４】
次に、緑表示期間が経過し、緑表示期間の次の黒挿入期間も経過し、青表示期間が開始される。そうすると、バックライト制御部１１９は、最初に走査される走査線上の画素に表示データの青色に対応する電圧が書き込み始められるタイミングで、バックライト１１１の光源である青色のＬＥＤを点灯させる。そして、調光部１１８が決定した青色の点灯比率に対応する期間だけバックライト１１１の光源である青色のＬＥＤを点灯させた後、その青色のＬＥＤを消灯させる。例えば、青色の点灯比率が４０パーセントであると調光部１１８が決定した場合には、青表示期間の４０パーセントの期間だけバックライト１１１の光源である青色のＬＥＤを点灯させ、その後その青色のＬＥＤを消灯させる。
【００４５】
このようにして、１フレーム（または１フィールド）分の映像が液晶表示パネル１０に表示される。
【００４６】
そして、上記の動作を繰り返すことにより、フレームメモリ２２に入力された映像信号が連続的に液晶表示パネル１０に表示される。
【００４７】
さて、調光部１１８は、光センサ部１２６が検出したバックライト１１１のＲ、Ｇ、Ｂのそれぞれの輝度を入力し、入力したバックライト１１１に設けられている各色のＬＥＤの輝度及び／または色度が指定値または基準値になるように調光する。つまり調光部１１８による調光は、バックライト１１１の各色のＬＥＤの点灯比率を調整することにより行われる。
【００４８】
このような従来の液晶表示装置１０１を用いることにより、高コントラスト化、高透過率化、高解像度化を実現することが出来るとともに、低消費電力化をも実現することが期待出来る。
【００４９】
また、調光部１１８は、バックライト１１１の輝度差や色度差を、光センサ部１２６が検知したバックライト１１１のＲ、Ｇ、Ｂそれぞれの輝度を用いて補正する。
【００５０】
これにより、最適なホワイトバランスを保つことが出来、ＬＥＤなどの光源のばらつきや温度変化時の色ずれを抑えることが出来る。
【００５１】
また、フィールドシーケンシャル方式ではなく、対向基板にカラーフィルタが設けられているタイプの液晶表示装置においても、上記と同様にすることにより、白色ＬＥＤを用いて輝度のみを調整する目的で光源のばらつきや温度変化時に発生する輝度のずれを抑えることが出来る。
【特許文献１】特開２００３−２８０６１７号公報
【特許文献２】特開２００３−２３３３５２号公報
【発明の開示】
【発明が解決しようとする課題】
【００５２】
しかしながら、従来の液晶表示装置１０１において、１フレーム期間（または１フィールド期間）が開始され赤表示期間になると、最初に走査される走査線上の画素に表示データの赤色に対応する電圧が書き込み始められると同時に、バックライト１１１の光源である赤色のＬＥＤが点灯する。
【００５３】
また、従来の液晶表示装置１０１において、緑表示期間が開始されると、最初に走査される走査線上の画素に表示データの緑色に対応する電圧が書き込み始められると同時に、バックライト１１１の光源である緑色のＬＥＤが点灯する。
【００５４】
また、従来の液晶表示装置１０１において、青表示期間が開始されると、最初に走査される走査線上の画素に表示データの青色に対応する電圧が書き込み始められると同時に、バックライト１１１の光源である青色のＬＥＤが点灯する。
【００５５】
このように従来の液晶表示装置１０１は、各色の表示期間で、その色の表示期間が開始されるのと同時にバックライト１１１を点灯している。すなわち、従来の液晶表示装置１０１は、各色の表示期間で、前半にバックライト１１１を点灯し、後半でバックライトを消灯させる制御を行っている。
【００５６】
このため、画素の表示素子にまだ十分表示用データに対応する電圧が書き込まれていない間にバックライト１１１が点灯することになる。また、画素の表示素子に表示用データに対応する電圧が書き込まれた際には、バックライト１１１が既に消灯してしまっているという事態も起こり得る。また、画素の表示素子に表示用データに対応する電圧が書き込まれている期間に、ごくわずかしがバックライトが点灯していないという事態も起こり得る。また、画素の表示表示素子に表示用データに対応する電圧が書き込まれている期間に、バックライトが点灯している時間が、液晶表示パネル１０の場所毎に異なるという事態も起こり得る。
【００５７】
従って、従来の液晶表示装置１０１の液晶表示パネル１０の表示画面のコントラストが低下するという問題が発生し得る。さらに、従来の液晶表示装置１０１の液晶表示パネル１０の表示画面に同じ色を表示した場合であっても、表示画面の場所によって輝度差が生じるという問題が発生し得る。さらに、従来の液晶表示装置１０１の液晶表示パネル１０の表示画面に、バックライトの点灯期間と輝度に見合った高輝度の表示を行えないという問題が発生し得る。
【００５８】
これらの問題を、図１７を参照してさらに詳細に説明する。
【００５９】
図１７は、従来の液晶表示装置１０１の特定の画素の表示素子に書き込まれた電圧波形と、バックライト１１１の各色の点灯消灯状態を示すタイミングチャートである。
【００６０】
図１７において、紙面に向かって、左側から右側に向かって時間が経過している。
【００６１】
図１７において、７５ａは、１フレーム（または１フィールド）期間に最初に走査される走査線上に存在する任意の一つの画素（以下最初の画素と呼ぶ）の表示素子に書き込まれた電圧波形であり、７５ｃは、１フレーム（または１フィールド）期間に最後に走査される走査線上に存在する任意の一つの画素（以下最後の画素と呼ぶ）の表示素子に書き込まれた電圧波形であり、７５ｂは、１フレーム（または１フィールド）期間に最初に走査される走査線と、１フレーム（または１フィールド）期間に最後に走査される走査線との真中に位置する走査線上に存在する特定の画素（以下真中の画素と呼ぶ）の表示素子に書き込まれた電圧波形である。
【００６２】
なお、図１７では、理解を容易にするために、上記の最初の画素、真中の画素、及び最後の画素には、全て同じ色に対応する電圧が書き込まれる場合を示している。
【００６３】
従って、真中の画素の表示素子に書き込まれた電圧波形７５ｂは、最初の画素の表示素子に書き込まれた電圧波形７５ａを単純に右側にシフトした波形になる。そして、最後の画素の表示素子に書き込まれた電圧波形７５ｃは、真中の画素の表示素子に書き込まれた電圧波形７５ｂを単純に右側にシフトした波形になる。
【００６４】
また、図１７において、７４は黒挿入駆動のための黒色の電圧を示し、７１は、表示データの赤色に対応する電圧を示し、赤表示期間に画素に書き込むべき赤書き込み電圧を示し、７２は、表示データの緑色に対応する電圧を示し、緑表示期間に画素に書き込むべき緑書き込み電圧を示し、７３は、表示データの青色に対応する電圧を示し、青表示期間に画素に書き込むべき青書き込み電圧を示している。
【００６５】
図１７において、Ｒ＿ＬＥＤ、Ｇ＿ＬＥＤ、Ｂ＿ＬＥＤは、それぞれバックライト１１１の光源である赤色のＬＥＤ、緑色のＬＥＤ、青色のＬＥＤの点灯消灯状態を示すものであり、Ｈｉｇｈ状態が点灯を示し、Ｌｏｗ状態が消灯を示している。
【００６６】
また、図１７は、バックライト１１１の各色のＬＥＤの点灯比率がそれぞれ７０パーセントになるように、調光部１１８が決定した場合を示している。従って、Ｒ＿ＬＥＤがＨｉｇｈ状態になる期間は、赤書き込み（赤表示期間）の７０パーセントになっている。また、Ｇ＿ＬＥＤがＨｉｇｈ状態になる期間は、緑書き込み（緑表示期間）の７０パーセントになっている。また、Ｂ＿ＬＥＤがＨｉｇｈ状態になる期間は、青き込み（青示期間）の７０パーセントになっている。
【００６７】
図１７の最初の画素の表示素子の電圧波形７５ａから解るように、最初の画素の表示素子に赤書き込み電圧７１の書き込みが開始されるのと同時に、赤色のＬＥＤが点灯し、最初の画素の表示素子に書き込まれた電圧が赤書き込み電圧７１に到達した後、しばらく時間が経過してから赤色のＬＥＤが消灯する。
【００６８】
同様に、最初の画素の表示素子に緑書き込み電圧７２の書き込みが開始されるのと同時に、緑色のＬＥＤが点灯し、最初の画素の表示素子に書き込まれた電圧が緑書き込み電圧７２に到達した後、しばらく時間が経過してから緑色のＬＥＤが消灯する。
【００６９】
同様に、最初の画素の表示素子に青書き込み電圧７３の書き込みが開始されるのと同時に、青色のＬＥＤが点灯し、最初の画素の表示素子に書き込まれた電圧が青書き込み電圧７３に到達した後、しばらく時間が経過してから青色のＬＥＤが消灯する。
【００７０】
しかしながら、真中の画素の表示素子の電圧波形７５ｂから解るように、赤色のＬＥＤは、真中の画素の表示素子に赤書き込み電圧７１の書き込みが開始される前に既に点灯している。そして、真中の画素の表示素子に書き込まれた電圧が赤書き込み電圧７１に到達する直前に、既に赤色のＬＥＤが消灯してしまっている。
【００７１】
さらに、最後の画素の表示素子の電圧波形７５ｃから解るように、赤色のＬＥＤは、最後の画素の表示素子に赤書き込み電圧７１の書き込みが開始される前に既に点灯している。そして、最後の画素の表示素子に書き込まれた電圧が赤書き込み電圧７１に到達するよりかなり前に、既に赤色のＬＥＤが消灯してしまっている。
【００７２】
緑色のＬＥＤ及び青色のＬＥＤについても同様のことが言える。
【００７３】
つまり、赤色の表示については、赤色のＬＥＤが、最初の画素の表示素子、真中の画素の表示素子、最後の画素の表示素子がそれぞれ赤書き込み電圧７１に到達する前に既に点灯しているので、その分コントラストが低下する。緑色の表示及び青色の表示についても赤色の表示と同様の理由でコントラストが低下する。
【００７４】
また、赤色の表示については、赤色のＬＥＤが点灯している期間において、最初の画素の表示素子は、赤書き込み電圧７１に到達している時間が最も長く、真中の画素の表示素子は、赤書き込み電圧７１に到達する直前にすでに赤色のＬＥＤが消灯してしまっている。さらに、最後の画素の表示素子は、赤書き込み電圧７１に到達するかなり前に赤色のＬＥＤが既に消灯してしまっている。緑色の表示、及び青色の表示についても同様のことが言える。
【００７５】
このことにより、最初の画素、真中の画素、最後の画素で、同じ色を表示する場合であっても、輝度差が生じる。従って、従来の液晶表示装置１０１の液晶表示パネル１０の表示画面に同じ色を表示した場合であっても、最初に走査される走査線上の画素から、最後に走査される走査線上の画素に向かって徐々に輝度が低下していくことになる。
【００７６】
また、赤色の表示については、赤色のＬＥＤが点灯している期間と、最初の画素、真中の画素、及び最後の画素が、赤書き込み電圧７１に到達している期間とが、食い違っているので、赤色のＬＥＤの点灯期間と輝度に見合っただけの高輝度の表示が行えないことになる。緑色の表示についても、赤色の表示と同様に、緑色のＬＥＤの点灯期間と輝度に見合っただけの高輝度の表示が行えない。青色の表示についても、赤色の表示と同様に、青色のＬＥＤの点灯期間と輝度に見合っただけの高輝度の表示が行えない。
【００７７】
このように、バックライトの光源の点灯比率を変化させて調光を行う従来の液晶表示装置では、画素の表示素子が表示データに対応する電圧に到達する前に、バックライトの光源が、点灯してしまうので、コントラストが低下するという課題がある。
【００７８】
また、バックライトの光源の点灯比率を変化させて調光を行う従来の液晶表示装置では、同じ色を表示する場合であっても、バックライトが点灯している期間における走査線毎の画素の電圧波形が異なっているので、液晶表示装置の表示パネルの表示画面に輝度差が生じるという課題がある。
【００７９】
また、バックライトの光源の点灯比率を変化させて調光を行う従来の液晶表示装置では、バックライトが点灯している期間と、各色の書き込み電圧に到達している期間とが食い違っているので、バックライトの光源の点灯期間と輝度に見合っただけの高輝度の表示が行えないという課題がある。
【００８０】
また、バックライトの光源の点灯比率を変化させて調光を行う従来の液晶表示装置では、上述したように、各色のバックライトの光源を、最初の画素に表示データに対応する電圧の書き込みが開始されるのと同時に点灯しているので、表示パネルの表示画面のコントラストの高低、輝度の大小、及び輝度差の程度を設計値通りに自由に調光することが出来ないという課題がある。
【００８１】
なお、このような課題は、上述した従来の液晶表示装置１０１で顕著に現れるが、一般的な従来のアクティブマトリクス方式の液晶表示装置でも同様の課題が発生する。例えば、フィールドシーケンシャル方式ではなく、対向基板にカラーフィルタを設けたタイプの黒挿入駆動を行う液晶表示装置や、ＯＣＢモードを用いないフィールドシーケンシャル方式の液晶表示でもこのような課題が生じる。またフィールドシーケンシャル方式の液晶表示装置であって、黒挿入駆動を行わない液晶表示装置でも同様の課題が生じる。このように上述した課題は、様々なアクティブマトリックス方式の液晶表示装置で発生する。
【００８２】
本発明は、上記課題を考慮し、良好なコントラストで映像を表示することが出来る液晶表示装置、液晶表示装置の駆動方法、プログラム、及び記録媒体を提供することを目的とするものである。
【００８３】
また、本発明は、上記課題を考慮し、表示画面の場所によって輝度差が生じることを抑制することが出来る液晶表示装置、液晶表示装置の駆動方法、プログラム、及び記録媒体を提供することを目的とするものである。
【００８４】
また、本発明は、上記課題を考慮し、バックライトの点灯期間と輝度に見合っただけの高輝度の表示が可能である液晶表示装置、液晶表示装置の駆動方法、プログラム、及び記録媒体を提供することを目的とするものである。
【００８５】
また、本発明は、上記課題を考慮し、表示パネルの表示画面のコントラストの高低、輝度の大小、及び輝度差の程度を設計値通りに自由に調光することが出来る液晶表示装置、液晶表示装置の駆動方法、プログラム、及び記録媒体を提供することを目的とするものである。
【課題を解決するための手段】
【００８６】
上述した課題を解決するために、第１の本発明は、マトリクス状に形成された信号線及び走査線と、前記信号線及び走査線の交点に対応して形成された液晶表示素子を有する液晶表示パネルと、
前記液晶表示パネルの信号線に表示用データに対応する印加電圧を印加するソースドライバと、
間欠的に点灯する間欠点灯が可能であり、前記液晶表示パネルを照明するバックライトと、
前記信号線を介して前記印加電圧が前記液晶表示素子に書き込まれた電圧に基づいて、前記バックライトの所定の点灯期間についての点灯開示時期、点灯終了時期、及び前記所定の点灯期間の真中の時期の少なくともいずれか一つの時期を決定するバックライト制御部とを備えた、液晶表示装置である。
【００８７】
また、第２の本発明は、前記液晶表示パネルは、前記液晶表示素子毎に蓄積容量を有し、
前記信号線を介して前記印加電圧が前記液晶表示素子に書き込まれた電圧とは、前記信号線を介して前記蓄積容量に保持された前記印加電圧が前記液晶表示素子に書き込まれた電圧である、第１の本発明の液晶表示装置である。
【００８８】
また、第３の本発明は、前記バックライト制御部は、前記液晶表示素子に書き込まれた電圧が、前記印加電圧に到達する場合、前記所定の点灯期間の真中の時期が、（１）１フレーム期間または１フィールド期間に最後に走査される走査線上に存在する前記液晶表示素子に書き込まれた電圧が前記印加電圧に到達する時期と（２）１フレーム期間または１フィールド期間に最初に走査される走査線上に存在する前記液晶表示素子に書き込まれた電圧が前記印加電圧から離脱する時期との真中の時期に一致するよう、前記点灯開始時期と前記点灯終了時期とを決定する、第２の本発明の液晶表示装置である。
【００８９】
また、第４の本発明は、前記バックライト制御部は、前記液晶表示素子に書き込まれた電圧が、前記印加電圧に到達しない場合、前記所定の点灯期間の真中の時期が、真中の走査線上に存在する前記液晶表示素子に書き込まれた電圧が前記印加電圧に最も近付く時期に一致するよう、前記点灯開始時期と前記点灯終了時期とを決定する、第２の本発明の液晶表示装置である。
【００９０】
また、第５の本発明は、前記バックライト制御部は、前記液晶表示素子に書き込まれた電圧の立ち上がりの傾きの大きさと立ち下がりの傾きの大きさとの比率に応じて、前記点灯開始時期と前記点灯終了時期とを補正する、第４の本発明の液晶表示装置である。
【００９１】
また、第６の本発明は、前記バックライト制御部は、前記液晶表示素子に書き込まれた電圧を前記点灯開始時期から前記点灯終了時期まで積分して得られる面積が極値をとるように、前記点灯開始時期と前記点灯終了時期とを決定する、第２の本発明の液晶表示装置である。
【００９２】
また、第７の本発明は、前記所定の点灯期間は、可変することが出来る、第２の本発明の液晶表示装置である。
【００９３】
また、第８の本発明は、前記液晶表示パネルには、ＯＣＢモード液晶が用いられており、
前記液晶表示パネルは、時間的な加法混色でカラー表示を行うものであり、
前記ソースドライバは、１フレームまたは１フィールドの期間内に設けられた色毎の表示期間に表示用データのその色に対応する前記印加電圧を前記信号線に印加し、その各色の表示期間の後にそれぞれ設けられた黒挿入期間に黒色に対応する黒印加電圧を前記信号線に印加するものであり、
前記色毎の表示期間に、前記信号線を介して前記蓄積容量に保持された前記印加電圧が前記液晶表示素子に書き込まれる電圧の程度に基づいて、前記バックライトの所定の点灯期間についての点灯開示時期、点灯終了時期、及び前記所定の期間の真中の時期の少なくとも一つの時期を決定する、第２の本発明の液晶表示装置である。
【００９４】
また、第９の本発明は、前記色毎の表示期間とは、赤色を表示する赤色表示期間、緑色を表示する緑色表示期間、及び青色を表示する青色表示期間である、第８の本発明の液晶表示装置である。
【００９５】
また、第１０の本発明は、前記バックライトは、前記走査線に平行に、複数のバックライトブロックに分割されており、
前記ソースドライバは、１フレームまたは１フィールドの期間内に設けられた表示期間に表示用データに対応する印加電圧を前記信号線に印加し、前記表示期間の後に設けられた黒挿入期間に黒色に対応する黒印加電圧を前記信号線に印加するものであり、
前記バックライト制御部は、分割されている各バックライトブロックに対向する、前記液晶表示パネルの表示領域の部分が前記黒挿入期間である場合、そのバックライトブロックを、前記所定の点灯期間を除いて消灯させる、第２の本発明の液晶表示装置である。
【００９６】
また、第１１の本発明は、前記バックライト制御部は、前記液晶表示素子に書き込まれた電圧が、前記印加電圧に到達する場合、それぞれの前記バックライトブロックについて、前記所定の点灯期間の真中の時期が、（１）１フレーム期間または１フィールド期間にそのバックライトブロックについて最後に走査される走査線上に存在する前記液晶表示素子に書き込まれた電圧が前記印加電圧に到達する時期と（２）１フレーム期間または１フィールド期間にそのバックライトブロックについて最初に走査される走査線上に存在する前記液晶表示素子に書き込まれた電圧が前記印加電圧から離脱する時期との真中の時期に一致するよう、そのバックライトブロックについて前記点灯開始時期と前記点灯終了時期とを決定する、第１０の本発明の液晶表示装置である。
【００９７】
また、第１２の本発明は、前記バックライト制御部は、前記液晶表示素子に書き込まれた電圧が、前記印加電圧に到達しない場合、それぞれの前記バックライトブロックについて、そのバックライトブロックの前記所定の点灯期間の真中の時期が、そのバックライトブロックの真中の走査線上に存在する前記液晶表示素子に書き込まれた電圧が前記印加電圧に最も近付く時期に一致するよう、そのバックライトブロックの前記点灯開始時期と前記点灯終了時期とを決定する、第１０の本発明の液晶表示装置である。
【００９８】
また、第１３の本発明は、マトリクス状に形成された信号線及び走査線と、前記信号線及び走査線の交点に対応して形成された液晶表示素子を有する液晶表示パネルと、
前記液晶表示パネルの信号線に表示用データに対応する印加電圧を印加するソースドライバと、
間欠的に点灯する間欠点灯が可能であり、前記液晶表示パネルを照明するバックライトとを備えた液晶表示装置を駆動する液晶表示装置の駆動方法であって、
前記信号線を介して前記印加電圧が前記液晶表示素子に書き込まれた電圧の程度に基づいて、前記バックライトの所定の点灯期間についての点灯開示時期、点灯終了時期、及び前記所定の点灯期間の真中の時期の少なくともいずれか一つの時期を決定するバックライト制御ステップを備えた、液晶表示装置の駆動方法である。
【００９９】
また、第１４の本発明は、第１の本発明の液晶表示装置の、前記信号線を介して前記印加電圧が前記液晶表示素子に書き込まれた電圧の程度に基づいて、前記バックライトの所定の点灯期間についての点灯開示時期、点灯終了時期、及び前記所定の点灯期間の真中の時期の少なくともいずれか一つの時期を決定するバックライト制御部としてコンピュータを機能させるためのプログラムである。
【０１００】
また、第１５の本発明は、第１４の本発明のプログラムを記録した記録媒体であって、コンピュータにより処理可能な記録媒体である。
【発明の効果】
【０１０１】
本発明は、良好なコントラストで映像を表示することが出来る液晶表示装置、液晶表示装置の駆動方法、プログラム、及び記録媒体を提供することが出来る。
【０１０２】
本発明は、表示画面の場所によって輝度差が生じることを抑制することが出来る液晶表示装置、液晶表示装置の駆動方法、プログラム、及び記録媒体を提供するが出来る。
【０１０３】
本発明は、バックライトの点灯期間と輝度に見合っただけの高輝度の表示が可能である液晶表示装置、液晶表示装置の駆動方法、プログラム、及び記録媒体を提供することが出来る。
【０１０４】
本発明は、表示パネルの表示画面のコントラストの高低、輝度の大小、及び輝度差の程度を設計値通りに自由に調光することが出来る液晶表示装置、液晶表示装置の駆動方法、プログラム、及び記録媒体を提供することが出来る。
【発明を実施するための最良の形態】
【０１０５】
以下に、本発明の実施の形態を図面を参照して説明する。
【０１０６】
（第１の実施の形態）
第１の実施の形態では、本発明の液晶表示装置の一実施の形態である液晶表示装置について説明するとともに、本発明の液晶表示装置の駆動方法の一実施の形態についても説明する。
【０１０７】
図１に、第１の実施の形態の液晶表示装置１のブロック図を示す。
【０１０８】
図１に示す第１の実施の液晶表示装置１は、従来の液晶表示装置１０１と同様に、フィールドシーケンシャル方式の液晶表示装置であって、黒挿入駆動を行う液晶表示装置である。なお、従来の液晶表示装置１０１と同一部分については同一符号を付して詳細な説明を省略する。
【０１０９】
第１の実施の形態の液晶表示装置１と従来の液晶表示装置１０１との相違点は、従来の液晶表示装置１０１が、バックライト１１１、バックライト制御部１１９、調光部１１８、光センサ部１２６を備えているのに対して、第１の実施の形態の液晶表示装置がバックライト１１、バックライト制御部１９、調光部１８、光センサ部２６を備えている点である。
【０１１０】
バックライト１１は、アクティブマトリクス方式の液晶表示パネル１０の背面に配置されており、複数のバックライトブロックに分割されており、各バックライトブロックにはそれぞれ光源である赤色のＬＥＤ、緑色のＬＥＤ、青色のＬＥＤ及び導光板が設けられている。
【０１１１】
図２（ａ）及び図２（ｂ）に、バックライト１１の概要を示す。図２（ａ）は、液晶表示パネル１０の表示面と直交する方向から見たバックライト１１の平面図であり、図２（ｂ）は、バックライト１１の側面図である。
【０１１２】
図２（ａ）及び図２（ｂ）に示すように、バックライト１１は、複数のバックライトブロック１５ａ〜１５ｅに分割されている。そして、これら複数のバックライトブロック１５ａ〜１５ｅのそれぞれには、光源であるＬＥＤ１３ａ〜１３ｅ、ＬＥＤ１４ａ〜１４ｅがそれぞれ配置されている。ここで、ＬＥＤ１３ａ〜１３ｅ、ＬＥＤ１４ａ〜１４ｅは、それぞれ赤色のＬＥＤ、緑色のＬＥＤ、青色のＬＥＤから構成されている。
【０１１３】
複数のバックライトブロック１５ａ〜１５ｅのそれぞれには、さらに、導光板１２ａ〜１２ｅがそれぞれ配置されている。それぞれのバックライトブロック１５ａ〜１５ｅは、そのバックライトブロックが対向している液晶表示パネル１０の表示領域の部分を主に照明するものである。
【０１１４】
そして、各バックライトブロック１５ａ〜１５ｅには、光センサ部１６ａ〜１６ｅ（図１及び図３の光センサ部２６に相当する）が設けられている。
【０１１５】
図４（ａ）及び図４（ｂ）に光センサ部１５ａ〜１５ｅの一例を示す。図４（ａ）は、光センサ部１５ａ〜１５ｅのいずれか一つの光センサ部の平面図であり、図４（ｂ）は、光センサ部１５ａ〜１５ｅのいずれか一つの光センサ部の側面図である。図４（ａ）、図４（ｂ）に示すように、光センサ部１５ａ〜１５ｅは、それぞれ、基板３７上に三つの光検出素子３６ａ、３６ｂ、３６ｃが形成されており、光検出素子３６ａ、３６ｂ、３６ｃ上にカラーフィルタ３５ａ、３５ｂ、３５ｃが形成されている。カラーフィルタ３５ａ、３５ｂ、３５ｃは、それぞれ、３原色である赤色、緑色、青色の光を透過するカラーフィルタである。光検出素子３６ａ、３６ｂ、３６ｃ及びカラーフィルタ３５ａ、３５ｂ、３５ｃは、ガラス等の透明カバー３８で覆われている。
【０１１６】
バックライト制御部１９は、調光部１８が決定した各色（Ｒ、Ｇ、Ｂ）の点灯比率になるように、タイミング制御部２３から送られてくるバックライト制御信号（クロック信号、水平同期信号、垂直同期信号等）を利用して、ＬＥＤ１３ａ〜１３ｅ、ＬＥＤ１４ａ〜ＬＥＤ１４ｅそれぞれの点灯開始時期及び点灯終了時期を決定し、その決定した点灯開始時期にそれぞれのＬＥＤ１３ａ〜１３ｅ、ＬＥＤ１４ａ〜１４ｅを点灯させ、その決定した点灯終了時期にそれぞれのＬＥＤ１３ａ〜１３ｅ、ＬＥＤ１４ａ〜１４ｅを消灯させるものである。
【０１１７】
すなわち、バックライト制御部１９は、ソースドライバ２等による液晶表示パネル１０の駆動のタイミングに連動して、複数個のバックライトブロック１５ａ〜１５ｅのＬＥＤ１３ａ〜１３ｅ、１４ａ〜１４ｅの点灯消灯を制御するものである。
【０１１８】
調光部１８は、光センサ部２６によって検知された各バックライトブロック１５ａ〜１５ｅの各色（Ｒ、Ｇ、Ｂ）の輝度に基づいて、各バックライトブロック１５ａ〜１５ｅの各色（Ｒ、Ｇ、Ｂ）のＬＥＤ１３ａ〜１３ｅ、１４ａ〜１４ｅについて、各色の表示期間に対するその色のＬＥＤの点灯期間の比率を調整することにより、バックライトの輝度及び／または色度を調光する回路である。
【０１１９】
なお、背景技術の説明と同様に、それぞれの色の表示期間に対するその色のＬＥＤ１３ａ〜１３ｅ、１４ａ〜１４ｅの点灯期間の比率をその色の点灯比率と呼ぶことにする。
【０１２０】
図３は、図１の液晶表示装置１のうち、調光部１８やバックライト制御部１９、バックライト１１などの照明系の詳細を示す図である。
【０１２１】
調光部１８は、調光制御部３３、基準値記憶部４０、及び点灯比率記憶部４４を備えている。
【０１２２】
基準値記憶部４０は、基準となる輝度及び／または色度を予め記録している半導体メモリである。
【０１２３】
調光制御部３３は、各光センサ部１６ａ〜１６ｅから送られてくる各バックライトブロック１５ａ〜１５ｅの各色の輝度の検知結果に基づいて、各バックライトブロック１５ａ〜１５ｅが基準値記憶部４０に記憶されている基準となる輝度及び／または色度に一致するように、各バックライトブロック１５ａ〜１５ｅの各ＬＥＤ１３ａ〜１３ｅ、１４ａ〜１４ｅの各色の点灯比率を決定し、点灯比率記憶部４４に記憶させる回路である。
【０１２４】
点灯比率記憶部４４は、各バックライトブロック１５ａ〜１５ｅ毎のＬＥＤ１３ａ〜１３ｅ、１４ａ〜１４ｅの各色の点灯比率を記憶する半導体メモリである。
【０１２５】
また、バックライト制御部１９は、解析結果記憶部４５、演算部４６、及び時期記憶部４７を備えている。
【０１２６】
解析結果記憶部４５は、画素の表示素子に書き込まれる電圧波形を解析することによって得られる各種の時間を記憶する半導体メモリである。
【０１２７】
演算部４６は、解析結果記憶部４５に記憶されている各種の時間に関する情報に基づいて、各バックライトブロック１５ａ〜１５ｅの点灯開始時期及び点灯終了時期を決定し、決定した点灯開始時期及び点灯終了時期を時期記憶部４７に記憶させるものである。
【０１２８】
時期記憶部４７は、決定された各バックライトブロック１５ａ〜１５ｅの点灯開始時期及び点灯終了時期を記憶する半導体メモリである。
【０１２９】
図１及び図３において、上記以外は、背景技術で説明したものと同様である。
【０１３０】
次に、このような第１の実施の形態の液晶表示装置１の動作を説明するととともに、本発明の液晶表示装置の駆動方法の一実施の形態についても説明する。
【０１３１】
液晶表示装置１の電源が入れられた際、液晶表示装置１は、背景技術で説明した従来の液晶表示装置１０１と同様に転移駆動を行う。
【０１３２】
転移駆動が完了し、液晶表示装置１の表示動作が可能になると、液晶表示装置１は表示動作を開始する。
【０１３３】
液晶表示装置１が映像表示信号を画素に書き込む動作については背景技術で説明した従来の液晶表示装置１０１の動作と同様である。すなわち、１フレーム期間（または１フィールド期間）には、赤表示期間、黒挿入期間、緑表示期間、黒挿入期間、青表示期間、及び黒挿入期間がこの順に設けられている。
【０１３４】
図５に映像信号が書き込まれる画素の等価回路を画素８２として示す。図５において、画素８２は、スイッチング素子であるＴＦＴ８３、蓄積容量８４、及び表示素子８５から構成される。そして、表示素子８５は、画素電極、画素電極に対向する対向電極の部分、及び画素電極と対向電極との間に狭持された液晶層とから構成されている。
【０１３５】
ゲートドライバ３は、各走査線に順次走査電圧を印加し、その走査線に配列されている各画素８２のスイッチング素子（ＴＦＴ）８３がオン状態になる。そのタイミングに合わせてソースドライバ２は、各信号線を通じてその走査線上に配列されている各画素８２に表示用データの各色に対応する電圧または黒色に対応する電圧を書き込む。
【０１３６】
これにより、各画素の蓄積容量８４に表示用データの各色に対応する電圧または黒色に対応する電圧が書き込まれて保持されるとともに、液晶表示素子８５に、表示用データの各色に対応する電圧または黒色に対応する電圧が書き込まれる。
【０１３７】
スイッチング素子（ＴＦＴ）８３がオン状態からオフ状態になった後も、表示素子８５には、蓄積容量８４が保持している映像信号に応じた電圧が書き込まれていく。そして、表示素子８６に書き込まれる電圧は比較的緩やかに変化して、蓄積容量８４に保持されている映像信号に応じた電圧に到達する。
【０１３８】
これにより液晶表示パネル１０の液晶分子６２（図１５（ａ）、図１５（ｂ））が変調され、バックライト１１から出射される光の透過率が変化する。その結果、映像信号に対応する画像が液晶表示パネル１０に表示される。なお、表示素子８６に書き込まれる電圧の波形等の詳細については、後述する
次にバックライト１１等の照明系の動作を説明する。
【０１３９】
なお、バックライト１１等の照明系の動作については、バックライト１１を構成するバックライトブロック１５ａに着目して説明するが、バックライトブロック１５ｂ〜１５ｅについてもバックライトブロック１５ａと同様の動作をを行うので、バックライトブロック１５ｂ〜１５ｅの動作については説明を省略する。
【０１４０】
図６にバックライトブロック１５ａと、バックライトブロック１５ａに対向する液晶表示パネル１０の表示領域の部分との関係を示す。図６において、矢印（走査方向）で示すように、走査線７６は紙面の上から下に向かって順次走査電圧が印加される。
【０１４１】
従って、最初の走査線７７ａとして示す走査線が、バックライトブロック１５ａに対向する液晶表示パネル１０の表示領域の部分で最初に走査される。また、最後の走査線７７ｃとして示す走査線が、バックライトブロック１５ａに対向する液晶表示パネル１０の表示領域の部分で最後に走査される。そして、真中の走査線７７ｂとして示す走査線は、最初の走査線７７ａと最後の走査線７７ｃとの中間に位置しており、最初の走査線７７ａが走査される時期と最後の走査線７７ｃが走査される時期との中間の時期に走査される。
【０１４２】
また、図６において、最初の画素７８ａは、最初の走査線７７ａ上に存在する任意の特定の画素であり、真中の画素７８ｂは、真中の走査線７７ｂ上に存在する任意の特定の画素であり、最後の画素７８ｃは、最後の走査線７７ｃ上に存在する任意の特定の画素である。最初の画素７８ａ、真中の画素７８ｂ、及び最後の画素７８ｃは、それぞれ、図５で説明した画素８２と同様の構成を有している。
【０１４３】
図７は、図６に示した最初の画素７８ａ、真中の画素７８ｂ、及び最後の画素７８ｃの各表示素子に書き込まれた電圧波形と、バックライトブロック１５ａの各色のＬＥＤの点灯消灯状態を示すタイミングチャート図である。図７において、紙面に向かって左側から右側に向かって時間が経過して行く。
【０１４４】
７５ａは、最初の画素７８ａの表示素子に書き込まれた電圧波形である。
【０１４５】
７５ｂは、真中の画素７８ｂの表示素子に書き込まれた電圧波形である。
【０１４６】
７５ｃは、最後の画素７８ｃの表示素子に書き込まれた電圧波形である。
【０１４７】
また、図７において、Ｒ＿ＬＥＤ、Ｇ＿ＬＥＤ、Ｂ＿ＬＥＤは、バックライトブロック１５ａの光源であるＬＥＤ１３ａ、１４ａのうち赤色のＬＥＤ、緑色のＬＥＤ、青色のＬＥＤの点灯消灯状態をそれぞれ示すものであり、Ｈｉｇｈ状態が点灯を示し、Ｌｏｗ状態が消灯を示している。
【０１４８】
また、図７において、７４は黒挿入駆動のための黒色の電圧を示し、７１は、表示データの赤色に対応する電圧を示し、赤表示期間に画素に書き込むべき赤書き込み電圧を示し、７２は、表示データの緑色に対応する電圧を示し、緑表示期間に画素７８の表示素子に書き込むべき緑書き込み電圧を示し、７４は、表示データの青色に対応する電圧を示し、青表示期間に画素７８の表示素子に書き込むべき青書き込み電圧を示している。
【０１４９】
なお、図７において、理解を容易にするために、最初の画素７８ａ、真中の画素７８ｂ、最後の画素７８ｃが全て同じ色を表示する場合を示している。
【０１５０】
また、図７は、バックライトブロック１５ａの各色のＬＥＤの点灯比率が全て７０パーセントになるように、調光部１８が決定した場合である。すなわち、調光部１８の点灯比率記憶部４４には、バックライト１５ａのＬＥＤ１３ａ、１４ａの各色のＬＥＤの点灯比率が７０パーセントであるという情報が記憶されている。
【０１５１】
バックライト制御部１９は、調光部１８の点灯比率記憶部４４からこの情報を読み出し、さらに、解析結果記憶部４５に記憶されている情報を読み出す。
【０１５２】
図８（ａ）に解析結果記憶部４５に記憶されている情報を示す。
【０１５３】
最後の画素書き込み電圧到達時間４５ａは、各色の表示期間が開始されてから最後の画素７８ｃの表示素子に書き込まれた電圧が、表示用データの各色に対応する電圧に到達するまでの時間を示している。
【０１５４】
最初の画素書き込み電圧離脱時間４５ｂは、各色の表示期間が開始されてから最初の画素７８ａの表示素子に書き込まれた電圧が、表示用データの各色に対応する電圧から離脱するまでの時間を示している。
【０１５５】
最後の画素黒挿入電圧到達時間４５ｃは、各色の表示期間が開始されてから、最後の画素７８ｃの表示素子に書き込まれた電圧が、黒挿入のための黒色に対応する電圧に到達するまでの時間を示している。
【０１５６】
第１の実施の形態では、実際に、最初の画素７８ａの表示素子、真中の画素７８ｂの表示素子、最後の画素７８ｃの表示素子のそれぞれに書き込まれた電圧波形７５ａ、７５ｂ、７５ｃをテスターにて計測し、計測した電圧波形７５ａ、７５ｃを解析することにより、図８（ａ）に示す最後の画素書き込み電圧到達時間４５ａ、最初の画素書き込み電圧離脱時間４５ｂ、最後の画素黒挿入電圧到達時間４５ｃを求めた。そして、求めた最後の画素書き込み電圧到達時間４５ａ、最初の画素書き込み電圧離脱時間４５ｂ、最後の画素黒挿入電圧到達時間４５ｃを、図８（ａ）に示すように、解析結果記憶部４５に予め記憶させておいた。
【０１５７】
そして、演算部４６は、コントローラ４から送られてくるバックライト制御信号（クロック信号、水平同期信号、垂直同期信号等）を利用して、最後の画素書き込み電圧到達時間４５ａ、最初の画素書き込み電圧離脱時間４５ｂ、最後の画素黒挿入電圧到達時間４５ｃを用いて、演算により、バックライトブロック１５ａのＬＥＤ１３ａ、１４ａのうちの赤色のＬＥＤ、緑色のＬＥＤ、青色のＬＥＤそれぞれの点灯開始時期及び点灯終了時期を決定して、時期記憶部４７に記憶させる。なお、演算部４６による上記の点灯開始時期及び点灯終了時期の求め方については後述する。
【０１５８】
図８（ｂ）に時期記憶部４７に記憶されたバックライトブロック１５ａのＬＥＤ１３ａ、１４ａのうちの赤色のＬＥＤ、緑色のＬＥＤ、青色のＬＥＤそれぞれの点灯開始時期及び点灯終了時期を示す。
【０１５９】
図８（ｂ）において、赤色のＬＥＤ点灯開始時期４７ａ及び赤色ＬＥＤ点灯終了時期４７ｂは、バックライトブロック１５ａのＬＥＤ１３ａ、１４ａのうちの赤色のＬＥＤの点灯開始時期及び点灯終了時期をそれぞれ示している。また、図８（ｂ）において、緑色のＬＥＤ点灯開始時期４７ｃ及び緑色のＬＥＤ点灯終了時期４７ｄは、バックライトブロック１５ａのＬＥＤ１３ａ、１４ａのうちの緑色のＬＥＤの点灯開始時期及び点灯終了時期をそれぞれ示している。また、図８（ｂ）において、青色のＬＥＤ点灯開始時期４７ｅ及び青色ＬＥＤ点灯終了時期４７ｆは、バックライトブロック１５ａのＬＥＤ１３ａ、１４ａのうちの青色のＬＥＤの点灯開始時期及び点灯終了時期をそれぞれ示している。
【０１６０】
バックライト制御部１９は、時期が、時期記憶部４７に記憶されている赤色のＬＥＤ点灯開始時期４７ａになったタイミングで、バックライトブロック１５ａのＬＥＤ１３ａ、１４ａのうちの赤色のＬＥＤを点灯させる。そして、時期が、時期記憶部４７に記憶されている赤色のＬＥＤ点灯終了時期４７ｂになったタイミングで、バックライトブロック１５ａのＬＥＤ１３ａ、１４ａのうちの赤色のＬＥＤを消灯させる。バックライト制御部１９は、バックライトブロック１５ａのＬＥＤ１３ａ、１４ａのうちの緑色のＬＥＤ及び青色のＬＥＤについても同様の制御を行う。
【０１６１】
バックライト制御部１９がこのような制御を行うことにより、図７において、バックライトブロック１５ａの光源であるＬＥＤ１３ａ、１４ａのうち赤色のＬＥＤ、緑色のＬＥＤ、青色のＬＥＤの点灯消灯状態は、それぞれ、Ｒ＿ＬＥＤ、Ｇ＿ＬＥＤ、Ｂ＿ＬＥＤのようになる。
【０１６２】
さて、上述したように、演算部４６による上記の点灯開始時期及び点灯終了時期の求め方について図７等を用いて説明する。
【０１６３】
演算部４６は、バックライトブロック１５ａのＬＥＤ１３ａ、１４ａの各色のＬＥＤの点灯比率が７０パーセントであるという情報を点灯比率記憶部４４から読み込む。次に、演算部４６は、赤表示期間に対して、点灯比率記憶部４４から読み込んだ点灯比率をかけ算することにより、バックライトブロック１５ａのＬＥＤ１３ａ、１４ａの赤色のＬＥＤの点灯期間を求める。演算部４６は、緑色及び青色についても同様の処理を行うことにより、バックライトブロック１５ａのＬＥＤ１３ａ、１４ａの緑色のＬＥＤの点灯期間及び青色のＬＥＤの点灯期間を求める。
【０１６４】
なお、本実施の形態の赤色のＬＥＤの点灯期間は、本発明の所定の点灯期間の一例であり、本実施の形態の緑色のＬＥＤの点灯期間は、本発明の所定の点灯期間の一例であり、本実施の形態の青色のＬＥＤの点灯期間は、本発明の所定の点灯期間の一例である。
【０１６５】
次に、演算部４６は、バックライト制御信号を利用して、図６に示す最初の画素７８の表示素子に実際に表示用データの赤色に対応する電圧の書き込みが開始される時期Ｔ０（図７参照）を求め、求めた時期Ｔ０に解析結果記憶部４５に記憶されている最後の画素書き込み電圧到達時間４５ａを加算する。このようにして、最後の画素７８の表示素子に書き込まれた電圧が、赤書き込み電圧７１に到達する時期Ｔ１が求まる（図７参照）。
【０１６６】
さらに、演算部４６は、図６に示す最初の画素７８ａの表示素子に実際に表示用データの赤色に対応する電圧の書き込みが開始される時期Ｔ０（図７参照）に解析結果記憶部４５に記憶されている最初の画素書き込み電圧離脱時間４５ｂを加算する。このようにして、最初の画素７８ａの表示素子に書き込まれた電圧が、赤書き込み電圧７１から離脱する時期Ｔ２（図７参照）が求まる。
【０１６７】
演算部４６は、時期Ｔ１と時期Ｔ２の真中の時間、すなわち、時期（Ｔ１＋Ｔ２）／２が、赤色のＬＥＤの点灯期間の真中に一致するように、バックライトブロック１５ａの光源であるＬＥＤ１３ａ、１４ａのうち赤色のＬＥＤの点灯開始時期及び点灯終了時期を求め、それぞれ、赤色ＬＥＤ点灯開始時期４７ａ及び赤色ＬＥＤ点灯終了時期４７ｂとして、時期記憶部４７に記憶させる。
【０１６８】
演算部４６は、バックライトブロック１５ａの光源であるＬＥＤ１３ａ、１４ａのうち緑色のＬＥＤ及び青色のＬＥＤに関しても同様の処理を行うことにより、時期記憶部４７に、緑色のＬＥＤ点灯開始時期４７ｃ、緑色のＬＥＤ点灯終了時期４７ｄ、青色のＬＥＤ点灯開始時期４７ｅ、及び青色ＬＥＤ点灯終了時期４７ｆを、時期記憶部４７に記憶させる。
【０１６９】
図９に、バックライトブロック１５ａの光源であるＬＥＤ１３ａ、１４ａのうち赤色のＬＥＤ、緑色のＬＥＤ、青色のＬＥＤの各色の点灯期間を最も長くとった場合の、最初の画素７８ａ、真中の画素７８ｂ、及び最後の画素７６ｃの各表示素子に書き込まれた電圧波形と、バックライトブロック１５ａの各色のＬＥＤの点灯消灯状態を示すタイミングチャート図を示す。符号等については、図７と同様である。
【０１７０】
図９において、バックライトブロック１５ａの光源であるＬＥＤ１３ａ、１４ａのうち、赤色のＬＥＤは、時期Ｔ０から時期Ｔ３まで点灯しており、緑色のＬＥＤは、時期Ｔ４から時期Ｔ７まで点灯しており、青色のＬＥＤは、時期Ｔ８からＴ１１まで点灯している。
【０１７１】
赤色の表示について説明すると、時期Ｔ３は、最初の画素７８の表示素子に実際に表示用データの赤色に対応する電圧の書き込みが開始される時期Ｔ０に、図８（ａ）に示す最後の画素黒挿入電圧到達時間４５ｃを加算した時期である。すなわち、時期Ｔ３は、最後の画素７８ｃの表示素子に書き込まれた電圧が黒挿入のための黒色に対応する電圧に到達する時期である。従って、時期Ｔ３以降で、最初の画素７８ａの表示素子に緑色に対応する電圧の書き込みが開始されるまでは、バックライトブロック１５ａに対向する液晶表示パネル１０の部分の全画素に黒色に対応する電圧が書き込まれている。バックライトブロック１５ａに対向する液晶表示パネル１０の部分の全画素に黒色に対応する電圧が書き込まれている時に赤色のＬＥＤを点灯させた場合、赤色のＬＥＤの消費電力を増加させるのみであり、表示には全く役立たない。さらに、画素に黒色に対応する電圧が書き込まれている際に、その画素の表示素子の透過率が完全に零ではない場合には、コントラストを低下させる原因にもなる。
【０１７２】
同様の理由で、時期Ｔ０より過去に赤色のＬＥＤを点灯させた場合も、赤色のＬＥＤの消費電力を増加させ、また、コントラストを低下させる原因にもなる。
【０１７３】
従って、調光制御部３３が赤色のＬＥＤの点灯比率を増加させた場合の上限として、図９の赤色のＬＥＤの点灯期間の範囲（時期Ｔ０から時期Ｔ３までの期間）からはみ出さないようにした。
【０１７４】
このような動作は、次のようにして実現することが出来る。
【０１７５】
すなわち、演算部４６が、赤色のＬＥＤ点灯開始時期４７ａを上記で説明した動作により決定した際、赤色のＬＥＤ点灯開始時期４７ａが時期Ｔ０より過去の時期になった場合には、赤色のＬＥＤ点灯開始時期４７ａを時期Ｔ０に一致させるようにする。また、演算部４６が、赤色のＬＥＤ点灯終了時期４７ｂを上記で説明した動作により決定した際、赤色のＬＥＤ点灯終了時期４７ｂが、時期Ｔ３より未来の時期になった場合には、赤色のＬＥＤ点灯終了時期４７ｂを時期Ｔ３に一致させるようにする。
【０１７６】
緑色の表示についても、赤色の表示と同様の処理を行うことにより、図９の緑色のＬＥＤの点灯期間の範囲（時期Ｔ４から時期Ｔ７までの範囲）から、緑色のＬＥＤの点灯期間がはみ出さないようにすることが出来る。また、青色の表示についても、赤色の表示と同様の処理を行うことにより、図９の青色のＬＥＤの点灯期間の範囲（時期Ｔ８から時期Ｔ１１までの範囲）から、青色のＬＥＤの点灯期間がはみ出さないようにすることが出来る。
【０１７７】
また、図１０に、バックライトブロック１５ａの光源であるＬＥＤ１３ａ、１４ａのうち赤色のＬＥＤ、緑色のＬＥＤ、青色のＬＥＤの各色の点灯期間を最も短くした場合の、最初の画素７８ａ、真中の画素７８ｂ、及び最後の画素７８ｃの各表示素子に書き込まれた電圧波形と、バックライトブロック１５ａの各色のＬＥＤの点灯消灯状態を示すタイミングチャート図である。符号等については、図７と同様である。
【０１７８】
図１０において、バックライトブロック１５ａの光源であるＬＥＤ１３ａ、１４ａのうち、赤色のＬＥＤは、時期Ｔ１から時期Ｔ２まで点灯しており、緑色のＬＥＤは、時期Ｔ５から時期Ｔ７まで点灯しており、青色のＬＥＤは、時期Ｔ９からＴ１０まで点灯している。各色の点灯比率を設定することにより、図１０の各色のＬＥＤの点灯消灯状態を実現することが出来る。図１０は、輝度差が生じない範囲で各色のＬＥＤの点灯期間を最も長くして輝度の低下を極力抑えた例である。第１の実施の形態では、各色の点灯比率を、図１０の各色のＬＥＤの点灯期間より小さくならないように設定することとしている。
【０１７９】
もちろん、ＣＲＴのようなインパルス的な表示に近づけて動画視認性を向上るために、図１０の各色のＬＥＤの点灯期間になるような点灯比率よりもさらに点灯比率を小さくしても構わない。
【０１８０】
以上、演算部４６による上記の点灯開始時期及び点灯終了時期の求め方について説明した。
【０１８１】
調光部１８は、バックライトブロック１５ａに関して、光センサ部２６を構成する光センサ部１６ａ（図２参照）で検知された赤色の輝度、緑色の輝度、青色の輝度を用いて、基準値記憶部４０に記憶されている基準となる輝度及び／または色度に、バックライトブロック１５ａの各色のＬＥＤが一致するように、点灯比率を決定し、点灯比率記憶部４４に記憶させる。
【０１８２】
このように調光部１８が調光して決定した点灯比率を用いて、上述した演算部４６が各色のＬＥＤの点灯開始時期及び点灯終了時期を決定することにより、バックライトブロック１５ａを、基準値記憶部４０に記憶されている基準となる輝度及び／または色度に一致するように調光することが出来る。
【０１８３】
さらに、上記で説明したのと同様の処理をバックライトブロック１５ｂ〜１５ｅについても行うことにより、バックライトブロック１５ａ〜１５ｅ間の輝度差や色度差を補正することが出来る。これにより、最適なホワイトバランスを保つことが出来、ＬＥＤなどの光源のばらつきや温度変化時の色ずれを抑えることが出来る。
【０１８４】
さらに、図７において、基準値記憶部４０に記憶されている輝度を増加させることによって、点灯比率記憶部４４に記憶されている点灯比率は、増加する。このようにして、点灯比率記憶部４４に記憶されている点灯比率を増加させて図９に示す各ＬＥＤの点灯期間に近づけていくと、コントラストは低下していき、各色のＬＥＤの点灯期間が増加するので輝度は増加していき、また、場所における輝度差が大きくなっていく。従って、第１の実施の形態の液晶表示装置１は、点灯比率を増加させることによって各色のＬＥＤの点灯期間を増加させて、図９に示す各ＬＥＤの点灯期間に近づけていくと、バックライトの点灯期間と輝度に見合っただけの高輝度の表示が可能となる。
【０１８５】
また、図７において、基準値記憶部４０に記憶されている輝度を減少させることによって、点灯比率記憶部４４に記憶されている点灯比率は、減少する。このようにして、点灯比率記憶部４４に記憶されている点灯比率を減少させて図１０に示す各ＬＥＤの点灯期間に近づけていくと、コントラストは大きくなり、各色のＬＥＤの点灯期間が減少するので輝度は減少してき、また、場所における輝度差は少なくなっていく。従って、第１の実施の形態の液晶表示装置１は、点灯比率を小さくして点灯期間を短くして図１０に示す各ＬＥＤの点灯期間に近づけることによって、表示画面の場所によって輝度差が生じることを抑制することが出来るとともに、コントラストの高い表示が可能になる。
【０１８６】
このように、基準値記憶部４０に記憶されている基準となる輝度及び／または色度の設定を変化させて、各色のＬＥＤの点灯比率を増減させることにより、第１の実施の形態の液晶表示装置１は、液晶表示パネル１０の表示画面のコントラストの高低、輝度の大小、及び輝度差の程度を設計値通りに自由に調光することが出来る。
【０１８７】
また、第１の実施の形態の液晶表示装置１は、図１０に示すように、点灯比率を減少させた場合等、バックライトブロック１５ａのＬＥＤ１３ａ、１４ａが点灯している時間を短くした場合でも、高いコントラストの表示を行うことが出来る。このことを利用して、第１の実施の形態の液晶表示装置１を、バックライトブロック１５ａのＬＥＤ１３ａ、１４ａを効率良く点灯させるという目的にも使用することが出来る。
【０１８８】
つまり、バックライトブロック１５ａのＬＥＤ１３ａ、１４ａの点灯している時間を出来るだけ短くして、バックライトブロック１５ａのＬＥＤ１３ａ、１４ａに供給する電圧を高くすることにより、ＬＥＤ１３ａ、１４ａなどを高い輝度で発光させる。このようにすれば、液晶表示装置１は、高いコントラストの表示を行うことが出来、かつさらに消費電力を低減することも可能になる。
【０１８９】
また、第１の実施の形態では、図２に示すようにバックライト１１を複数のバックライトブロック１５ａ〜１５ｅに分割しているので、バックライト１１を分割しない場合に比べて、より、表示画面の場所による輝度差が少なく、高いコントラストの表示が可能になる。
【０１９０】
なお、第１の実施の形態では、実際に、最初の画素７８ａ、真中の画素７８ｂ、最後の画素７８ｃの表示素子の電圧波形７５ａ、７５ｂ、７５ｃを計測し、計測した電圧波形７５ａ、７５ｃを解析することにより、図８（ａ）に示す最後の画素書き込み電圧到達時間４５ａ、最初の画素書き込み電圧離脱時間４５ｂ、最後の画素黒挿入電圧到達時間４５ｃを求めたとして説明したが、これに限らない。
【０１９１】
図８（ａ）に示す最後の画素書き込み電圧到達時間４５ａ、最初の画素書き込み電圧離脱時間４５ｂ、最後の画素黒挿入電圧到達時間４５ｃは、液晶表示パネル１０に用いられる液晶材料と黒挿入駆動のための黒色に対応する電圧を最初の画素７８ａや最後の画素７８ｃ等に書き込むタイミングに応じて決まるものである。従って、使用する液晶材料や黒挿入駆動のための黒色に対応する電圧を最初の画素７８ａや最後の画素７８ｃ等に書き込むタイミング等に基づいて、最初の画素７８ａの表示素子の電圧波形７５ａや、最後の画素７８ｃの電圧波形７５ｃを予測し、予測した電圧波形７５ａや７８ｃから、予め、図８（ａ）に示す最後の画素書き込み電圧到達時間４５ａ、最初の画素書き込み電圧離脱時間４５ｂ、最後の画素黒挿入電圧到達時間４５ｃを求めても構わない。
【０１９２】
なお、第１の実施の形態では、調光制御部３３が決定した点灯比率に応じた点灯期間についての赤色のＬＥＤ点灯開始時期４７ａ、赤色のＬＥＤ点灯終了時期４７ｂ等の決定方法や、赤色のＬＥＤの点灯比率を増加させた場合の上限として、図９の赤色のＬＥＤの点灯期間の範囲（時期Ｔ０から時期Ｔ３までの期間）からはみ出さないようにする方法について説明したが、これにかぎらない。以下に示す第１の方法や第２の方法を用いることも出来る。
【０１９３】
まず、第１の方法について説明する。演算部４６が、時期Ｔ１と時期Ｔ２の真中の時期、すなわち、時期（Ｔ１＋Ｔ２）／２を算出した後、時期（Ｔ１＋Ｔ２）／２から時期Ｔ０までの時間的な長さと、時期（Ｔ１＋Ｔ２）／２から時期Ｔ３までの時間的な長さとの比が、時期（Ｔ１＋Ｔ２）／２から赤色のＬＥＤ点灯開始時期４７ａまでの時間的な長さと、時期（Ｔ１＋Ｔ２）／２から赤色のＬＥＤ点灯終了時期４７ｂまでの時間的な長さとの比に一致するように赤色のＬＥＤ点灯開始時期４７ａ及び赤色のＬＥＤ点灯終了時期４７ｂを決定する。
【０１９４】
そして、決定した赤色のＬＥＤ点灯開始時期４７ａ及び赤色のＬＥＤ点灯終了時期４７ｂが、それぞれ時期Ｔ０より過去の時期及び時期Ｔ３より未来の時期になった場合には、赤色のＬＥＤ点灯開始時期４７ａ及び赤色のＬＥＤ点灯終了時期４７ｂを時期Ｔ０及び時期Ｔ３に一致させるようにする。緑色のＬＥＤ、青色のＬＥＤについても同様に処理することによりそれぞれの点灯開始時期及び点灯終了時期を決定することが出来る。
【０１９５】
また、第２の方法は、赤色のＬＥＤ点灯開始時期４７ａ及び赤色のＬＥＤ点灯終了時期４７ｂ等の決定方法は、上記第１の実施の形態で説明した方法または、上記第１の方法のいずれかで決定する。そして、予め、赤色のＬＥＤ点灯開始時期４７ａ及び赤色のＬＥＤ点灯終了時期４７ｂのいずれかが、時期Ｔ０または時期Ｔ３と一致するような点灯比率の上限を求めておき、調光制御部３３が調光する際、点灯比率を、予め求めた点灯比率の上限を超えないようにすればよい。
【０１９６】
（第２の実施の形態）
次に、第２の実施の形態について説明する。
【０１９７】
第１の実施の形態では、フィールドシーケンシャル方式の液晶表示装置であって、黒挿入駆動を行う液晶表示装置及びその液晶表示装置の駆動方法について説明した。第２の実施の形態でも、第１の実施の形態と同様に、フィールドシーケンシャル方式の液晶表示装置であって、黒挿入駆動を行う液晶表示装置及びその液晶表示装置の駆動方法について説明する。
【０１９８】
第１の実施の形態の液晶表示装置は、図７、図９、図１０のタイミングチャートで説明したように、例えば赤書き込み電圧７１に画素７８の表示素子に書き込まれる電圧が到達する場合について説明した。つまり各色の書き込み電圧及び黒書き込み電圧に、最初の画素７８ａ、真中の画素７８ｂ、最後の画素７８ｃの各表示素子に書き込まれる電圧が到達し、所定の時間だけ実質上一定値をとる場合について説明した。
【０１９９】
これに対して、画素の表示素子に書き込まれる電圧が、各色の書き込み電圧に、完全に到達しない場合も起こり得る。つまり、フィールドシーケンシャル方式を採用し、さらに黒挿入駆動を行う場合には、対向基板にカラーフィルタを用いて、黒挿入駆動を行わない場合の液晶表示装置に比べて非常に高速に液晶表示装置を駆動する必要がある。このため、液晶表示パネルの画素数を増加させるなどの液晶表示装置の設計上の理由から各色の書き込み電圧に画素の表示素子に書き込まれる電圧が完全に到達しない場合が起こり得る。
【０２００】
第２の実施の形態では、このような場合について説明する。
【０２０１】
なお、第２の実施の形態では、第１の実施の形態と同一部分には同一符号を付して詳細な説明を省略する。
【０２０２】
第２の実施の形態の液晶表示装置は、第１の実施の形態の液晶表示装置１と同様である。
【０２０３】
すなわち、図１に、第２の実施の形態の液晶表示装置１の構成を示すブロック図を示す。
【０２０４】
また、バックライト１１も、第１の実施の形態と同様に図２（ａ）及び図２（ｂ）で示される。
【０２０５】
また、光センサ部２６も、第１の実施の形態と同様に図４（ａ）及び図４（ｂ）で示される。
【０２０６】
また、第２の実施の形態の液晶表示装置のうち、調光部１８やバックライト制御部１９、バックライト１１などの照明系の詳細は、第１の実施の形態と同様に図３で示す。
【０２０７】
図３のバックライト制御部１９が、解析結果記憶部４５、演算部４６、及び時期記憶部４７を備えている点については、第１の実施の形態と同様である。しかしながら、第２の実施の形態では、各色の書き込み電圧に、画素の表示素子に書き込まれる電圧が完全に到達しない場合を扱っているので、解析結果記憶部４５に記憶される情報が第１の実施の形態と異なっている。
【０２０８】
すなわち、第２の実施の形態の解析結果記憶部４５は、画素が書き込みを開始されてから、その画素に書き込まれた書き込み電圧が、表示用データの各色に対応する電圧に最も接近するまでの時間を記憶する半導体メモリである。それ以外は、第１の実施の形態と同様である。
【０２０９】
次に、第２の実施の形態の液晶表示装置１の動作を説明するとともに、本発明の液晶表示装置の一実施の形態についても説明する。
【０２１０】
液晶表示装置１の電源が入れられた際、液晶表示装置１は、背景技術で説明した従来の液晶表示装置１０１と同様に転移駆動を行う。
【０２１１】
転移駆動が完了し、液晶表示装置１の表示動作が可能になると、液晶表示装置１は表示動作を開始する。
【０２１２】
液晶表示装置１が映像表示信号を画素に書き込む動作については第１の実施の形態ですでに説明した。すなわち、１フレーム期間（または１フィールド期間）には、赤表示期間、黒挿入期間、緑表示期間、黒挿入期間、青表示期間、及び黒挿入期間がこの順に設けられている。
【０２１３】
次にバックライト１１等の照明系の動作を説明する。
【０２１４】
なお、バックライト１１等の照明系の動作については、第１の実施の形態と同様に、バックライト１１を構成するバックライトブロック１５ａに着目して説明するが、バックライトブロック１５ｂ〜１５ｅについてもバックライトブロック１５ａと同様の動作であるのでそれらの動作の説明を省略する。
【０２１５】
図１１は、図６に示した最初の画素７８ａ、真中の画素７８ｂ、及び最後の画素７８ｃの各表示素子に書き込まれた電圧波形と、バックライトブロック１５ａの各色のＬＥＤの点灯消灯状態を示すタイミングチャート図である。図１１において、紙面に向かって左側から右側に向かって時間が経過して行く。
【０２１６】
８１ａは、最初の画素７８ａの表示素子に書き込まれた電圧波形である。
【０２１７】
８１ｂは、真中の画素７８ｂの表示素子に書き込まれた電圧波形である。
【０２１８】
８１ｃは、最後の画素７８ｃの表示素子に書き込まれた電圧波形である。
【０２１９】
図１１において、紙面に向かって左側から右側に時間が経過している。
【０２２０】
図１１において、Ｒ＿ＬＥＤ、Ｇ＿ＬＥＤ、Ｂ＿ＬＥＤは、バックライトブロック１５ａの光源であるＬＥＤ１３ａ、１４ａのうち赤色のＬＥＤ、緑色のＬＥＤ、青色のＬＥＤの点灯消灯状態をそれぞれ示すものであり、Ｈｉｇｈ状態が点灯を示し、Ｌｏｗ状態が消灯を示している。
【０２２１】
また、図１１において、７４は黒挿入駆動のための黒色の電圧を示し、７１は、表示データの赤色に対応する電圧を示し、赤表示期間に画素に書き込むべき赤書き込み電圧を示し、７２は、表示データの緑色に対応する電圧を示し、緑表示期間に画素に書き込むべき緑書き込み電圧を示し、７４は、表示データの青色に対応する電圧を示し、青表示期間に画素に書き込むべき青書き込み電圧を示している。
【０２２２】
また、図１１は、バックライトブロック１５ａの各色のＬＥＤの点灯比率が全て７０パーセントになるように、調光部１８が決定した場合である。すなわち、調光部１８の点灯比率記憶部４４には、バックライト１５ａのＬＥＤ１３ａ、１４ａの各色のＬＥＤの点灯比率が７０パーセントであるという情報が記憶されている。
【０２２３】
バックライト制御部１９は、調光部１８の点灯比率記憶部４４からこの情報を読み出し、さらに、解析結果記憶部４５に記憶されている情報を読み出す。
【０２２４】
図１２（ａ）に解析結果記憶部４５に記憶されている情報を示す。
【０２２５】
真中の画素書き込み電圧最接近時間４５ｄは、最初の画素７８ａの表示素子に表示用データの各色に対応する電圧の書き込みが開始されてから、真中の画素７８ｂの表示素子に書き込まれた電圧が、表示用データの各色に対応する電圧に最も近付くまでの時間である。最後の画素閾値電圧到達時間４５ｅは、最初の画素７８ａの表示素子に表示用データの各色に対応する電圧の書き込みが開始されてから、最後の画素７８ｃの表示素子に書き込まれた電圧が、各色の書き込み電圧に対して、予め決められた所定の比率に到達する時間である。最初の画素閾値電圧離脱時間４５ｆは、最初の画素７８ａの表示素子に表示用データの各色に対応する電圧の書き込みが開始されてから、最初の画素７８ａの表示素子に書き込まれた電圧が、各色の書き込み電圧に対して、予め決められた所定の比率を離脱する時間である。
【０２２６】
第２の実施の形態では、実際に、最初の画素７８ａの表示素子、真中の画素７８ｂの表示素子、最後の画素７８ｃの表示素子のそれぞれに書き込まれた電圧波形８１ａ、８１ｂ、８１ｃをテスターにて計測し、計測した電圧波形８１ａ、８１ｂ、８１ｃを解析することにより、図１２（ａ）に示す真中の画素書き込み電圧最接近時間４５ｄ、最後の画素閾値電圧到達時間４５ｅ、最初の画素閾値電圧離脱時間４５ｆを求めた。
【０２２７】
そして、求めた真中の画素書き込み電圧最接近時間４５ｄ、最後の画素閾値電圧到達時間４５ｅ、最初の画素閾値電圧離脱時間４５ｆを、図１２（ａ）に示すように、解析結果記憶部４５に予め記憶させておいた。
【０２２８】
そして、演算部４６は、コントローラ４から送られてくるバックライト制御信号（クロック信号、水平同期信号、垂直同期信号等）を利用して、真中の画素書き込み電圧最接近時間４５ｄ、最後の画素閾値電圧到達時間４５ｅ、最初の画素閾値電圧離脱時間４５ｆを用いて、演算により、バックライトブロック１５ａのＬＥＤ１３ａ、１４ａのうちの赤色のＬＥＤ、緑色のＬＥＤ、青色のＬＥＤそれぞれの点灯開始時期及び点灯終了時期を決定して、時期記憶部４７に記憶させる。なお、演算部４６による上記の点灯開始時期及び点灯終了時期の求め方については後述する。
【０２２９】
図１２（ｂ）に時期記憶部４７に記憶されたバックライトブロック１５ａのＬＥＤ１３ａ、１４ａのうちの赤色のＬＥＤ、緑色のＬＥＤ、青色のＬＥＤそれぞれの点灯開始時期及び点灯終了時期を示す。図１２（ｂ）は、第１の実施の形態で説明した図８（ｂ）と同様である。
【０２３０】
バックライト制御部１９は、時期が、時期記憶部４７に記憶されている赤色ＬＥＤ点灯開始時期４７ａになったタイミングで、バックライトブロック１５ａのＬＥＤ１３ａ、１４ａのうちの赤色のＬＥＤを点灯させる。そして、時期が、時期記憶部４７に記憶されている赤色ＬＥＤ点灯終了時期４７ｂになったタイミングで、バックライトブロック１５ａのＬＥＤ１３ａ、１４ａのうちの赤色のＬＥＤを消灯させる。バックライト制御部１９は、バックライトブロック１５ａのＬＥＤ１３ａ、１４ａのうちの緑色のＬＥＤ及び青色のＬＥＤについても同様の制御を行う。
【０２３１】
バックライト制御部１９がこのような制御を行うことにより、図１１において、バックライトブロック１５ａの光源であるＬＥＤ１３ａ、１４ａのうち赤色のＬＥＤ、緑色のＬＥＤ、青色のＬＥＤの点灯消灯状態は、それぞれ、Ｒ＿ＬＥＤ、Ｇ＿ＬＥＤ、Ｂ＿ＬＥＤのようになる。
【０２３２】
さて、上述したように、演算部４６による上記の点灯開始時期及び点灯終了時期の求め方について図１１を用いて説明する。
【０２３３】
演算部４６は、バックライトブロック１５ａのＬＥＤ１３ａ、１４ａの各色のＬＥＤの点灯比率が７０パーセントであるという情報を点灯比率記憶部４４から読み込む。次に、演算部４６は、赤表示期間（赤書き込み）に対して、点灯比率をかけ算することにより、バックライトブロック１５ａのＬＥＤ１３ａ、１４ａの赤色のＬＥＤの点灯期間を求める。演算部４６は、緑色及び青色についても同様の処理を行うことにより、バックライトブロック１５ａのＬＥＤ１３ａ、１４ａの緑色のＬＥＤ及び青色のＬＥＤの点灯期間を求める。
【０２３４】
なお、本実施の形態の赤色のＬＥＤの点灯期間は、本発明の所定の点灯期間の一例であり、本実施の形態の緑色のＬＥＤの点灯期間は、本発明の所定の点灯期間の一例であり、本実施の形態の青色のＬＥＤの点灯期間は、本発明の所定の点灯期間の一例である。
【０２３５】
次に、演算部４６は、バックライト制御信号を利用して、図６に示す最初の画素７８ａの表示素子に実際に表示用データの赤色に対応する電圧の書き込みが開始される時期を求め、求めた時期に解析結果記憶部４５に記憶されている真中の画素書き込み電圧最接近時間４５ｄを加算する。このようにして、真中の画素７８ｂの表示素子の書き込み電圧波形８１ｂが、赤書き込み電圧７１に最も接近する時期Ｔ２０が求まる（図１１参照）。
【０２３６】
演算部４６は、時期Ｔ２０、すなわち、真中の画素７８ｂの表示素子の書き込み電圧波形８１ｂが、赤書き込み電圧７１に最も接近する時期が、赤色のＬＥＤの点灯期間の真中に一致するように、バックライトブロック１５ａの光源であるＬＥＤ１３ａ、１４ａのうち赤色のＬＥＤ点灯開始時期及び点灯終了時期を求め、それぞれ、赤色のＬＥＤ点灯開始時期４７ａ及び赤色のＬＥＤ点灯終了時期４７ｂとして、時期記憶部４７に記憶させる（図１２（ｂ）参照）。
【０２３７】
演算部４６は、バックライトブロック１５ａの光源であるＬＥＤ１３ａ、１４ａのうち緑色のＬＥＤ及び青色のＬＥＤに関しても同様の処理を行うことにより、時期Ｔ２１及び時期Ｔ２２を求めることにより、時期記憶部４７に、緑色のＬＥＤ点灯開始時期４７ｃ、緑色のＬＥＤ点灯終了時期４７ｄ、青色のＬＥＤ点灯開始時期４７ｅ、及び緑色のＬＥＤ点灯終了時期４７ｆを、時期記憶部４７に記憶させる。
【０２３８】
なお、図３の基準値記憶部４０に記憶されている基準となる輝度を増加させるにつれて、調光制御部３３によりバックライトブロック１５ａが調光された結果、点灯比率記憶部４４に記憶されている点灯比率も増加する。
【０２３９】
図１１において、このようにして点灯比率が増加した場合であっても、各色のＬＥＤの点灯期間の上限を以下のように制限するようにした。
【０２４０】
すなわち、赤色のＬＥＤについて説明すると、演算部４６が上記のような動作により、赤色のＬＥＤ点灯開始時期４７ａ及び赤色のＬＥＤ点灯終了時期４７ｂを決定したとする。
【０２４１】
その後、赤色のＬＥＤ点灯開始時期４７ａが、最初の画素７８ａの表示素子に実際に表示用データの赤色に対応する電圧の書き込みが開始される時期に最後の画素閾値電圧到達時間４５ｅ（図１２参照）を加算した時期（図１１の時期Ｔ２０Ｌに対応、以下時期Ｔ２０Ｌと呼ぶ）との大小関係を比較する。
【０２４２】
そして、赤色のＬＥＤ点灯開始時期４７ａが、時期Ｔ２０Ｌより小さい（過去）であれば、赤色のＬＥＤ点灯開始時期４７ａを、時期Ｔ２０Ｌに等しくして、時期記憶部４７に記憶させる。
【０２４３】
また、赤色のＬＥＤ点灯開始時期４７ａが、時期Ｔ２０Ｌ以上（未来）であれば、赤色のＬＥＤ点灯開始時期４７ａを、そのまま変更しないで時期記憶部４７に記憶させる。
【０２４４】
さらに、赤色のＬＥＤ点灯終了時期４７ｂが、最初の画素７８ａの表示素子に実際に表示用データの赤色に対応する電圧の書き込みが開始される時期に最初の画素閾値電圧離脱時間４５ｆ（図１２参照）を加算した時期（図１１の時期Ｔ２０Ｕに対応、以下時期Ｔ２０Ｕと呼ぶ）との大小関係を比較する。
【０２４５】
そして、赤色のＬＥＤ点灯終了時期４７ｂが、時期Ｔ２０Ｕ以上（未来）であれば、赤色のＬＥＤ点灯終了時期４７ｂを、時期Ｔ２０Ｕに等しくして、時期記憶部４７に記憶させる。
【０２４６】
また、赤色のＬＥＤ点灯終了時期４７ｂが、時期Ｔ２０Ｕより小さい（過去）であれば、赤色のＬＥＤ点灯終了時期４７ｂを、そのまま変更しないで時期記憶部４７に記憶させる。
【０２４７】
緑色のＬＥＤ及び青色のＬＥＤについても同様の処理を行う。
【０２４８】
このように、バックライトブロックの光源であるＬＥＤ１３ａ、１４ａのうち赤色のＬＥＤ、緑色のＬＥＤ、青色のＬＥＤの点灯期間の上限を制限することにより、点灯比率を増加させた場合であっても、各色のＬＥＤの消費電力の増加を抑えることが可能になるとともに、コントラストの低下を抑制することが出来る。
【０２４９】
図１３は、バックライトブロック１５ａの各色のＬＥＤの点灯比率が全て１００パーセントになるように、調光部１８が決定した場合である。すなわち、調光部１８の点灯比率記憶部４４には、バックライト１５ａのＬＥＤ１３ａ、１４ａの各色のＬＥＤの点灯比率が１００パーセントであるという情報が記憶されている。このような場合にも、上記と同様の動作を行うことにより、演算部４６は、図８（ｂ）に示す、赤色のＬＥＤ点灯開始時期４７ａ、赤色のＬＥＤ点灯終了時期４７ｂ等を求めることが出来る。
【０２５０】
図１４は、バックライトブロック１５ａの各色のＬＥＤの点灯比率が全て３０パーセントになるように、調光部１８が決定した場合である。すなわち、調光部１８の点灯比率記憶部４４には、バックライト１５ａのＬＥＤ１３ａ、１４ａの各色のＬＥＤの点灯比率が３０パーセントであるという情報が記憶されている。このような場合にも、上記と同様の動作を行うことにより、演算部４６は、図１２（ｂ）に示す、赤色のＬＥＤ点灯開始時期４７ａ、赤色のＬＥＤ点灯終了時期４７ｂ等を求めることが出来る。
【０２５１】
図１４に示すように、点灯比率を３０パーセントまで下げた場合、つまり、バックライトブロック１５ａのＬＥＤ１３ａ、１４ａが点灯している時間を短くした場合でも、図６に示した真中の走査線７７ｂ上の真中の画素７８ｂ（図６参照）が赤書き込み電圧７１、緑書き込み電圧７２、青書き込み電圧７３にそれぞれ最も接近する時期Ｔ２０、Ｔ２１、Ｔ２２が、バックライトブロック１５ａの点灯期間の中心と一致する。そして、図６に示した最初の走査線７７ａの最初の画素７８ａが、赤書き込み電圧７１、緑書き込み電圧７２、青書き込み電圧７３にそれぞれ最も接近する時期が、バックライトブロック１５ａのＬＥＤ１３ａ、１４ａの赤色のＬＥＤ、緑色のＬＥＤ、青色のＬＥＤが点灯する期間に含まれている。同様に、図６に示した最後の走査線７７ｃの最後の画素７８ｃが、赤書き込み電圧７１、緑書き込み電圧７２、青書き込み電圧７３にそれぞれ最も接近する時期が、バックライトブロック１５ａのＬＥＤ１３ａ、１４ａの赤色のＬＥＤ、緑色のＬＥＤ、青色のＬＥＤが点灯する期間に含まれている。図１１及び図１３に示すように、図１４より点灯比率が大きい場合も同様である。
【０２５２】
従って、第１の実施の形態と画素の表示素子に書き込まれる電圧波形が異なっている場合であっても、第１の実施の形態と同等の効果を得ることが出来る。
【０２５３】
また、第２の実施の形態の液晶表示装置１は、図１４に示すように、点灯比率を３０パーセントまで下げた場合等、バックライトブロック１５ａのＬＥＤ１３ａ、１４ａが点灯している時間を短くした場合でも、高いコントラストの表示を行うことが出来る。
【０２５４】
このことを利用して、第２の実施の形態の液晶表示装置１を、バックライトブロック１５ａのＬＥＤ１３ａ、１４ａを効率良く点灯させるという目的にも使用することが出来る。
【０２５５】
つまり、バックライトブロック１５ａのＬＥＤ１３ａ、１４ａの点灯している時間を短くして、バックライトブロック１５ａのＬＥＤ１３ａ、１４ａに供給する電圧を高くすることにより、ＬＥＤ１３ａ、１４ａなどを高い輝度で発光させる。このようにすれば、液晶表示装置１は、高いコントラストの表示を行うことが出来、ＣＲＴのようなインパルス型の表示に近づけることが出来るので動画視認性を向上させることが出来るとともに、さらに消費電力を低減することも可能になる。
【０２５６】
なお、第２の実施の形態では、実際に、最初の画素７８ａ、真中の画素７８ｂ、最後の画素７８ｃそれぞれの表示素子の電圧波形８１ａ、８１ｂ、８１ｃを計測し、計測した電圧波形８１ａ、８１ｂ、８１ｃを解析することにより、図１２（ａ）に示す真中の画素書き込み電圧最接近時間４５ｄ、最後の画素閾値電圧到達時間４５ｅ、最初の画素閾値電圧離脱時間４５ｆを求めたとして説明したが、これに限らない。
【０２５７】
真中の画素書き込み電圧最接近時間４５ｄ、最後の画素閾値電圧到達時間４５ｅ、最初の画素閾値電圧離脱時間４５ｆは、液晶表示パネル１０に用いられる液晶材料と黒挿入駆動のための黒色に対応する電圧を最初の画素７８ａ、真中の画素７８ｂ、最後の画素７８ｃに書き込むタイミングに応じて決まるものである。従って、使用する液晶材料や黒挿入駆動のための黒色に対応する電圧を最初の画素７８ａ、真中の画素７８ｂ、最後の画素７８ｃに書き込むタイミング等に基づいて最初の画素７８ａ、真中の画素７８ｂ、最後の画素７８ｃの表示素子の電圧波形を予測し、予測した電圧波形から予め真中の画素書き込み電圧最接近時間４５ｄ、最後の画素閾値電圧到達時間４５ｅ、最初の画素閾値電圧離脱時間４５ｆを求めることも可能である。
【０２５８】
さらに、第２の実施の形態では、演算部４６は、時期Ｔ２０、すなわち、真中の画素７８ｂの表示素子の書き込み電圧波形８１ｂが、赤書き込み電圧７１に最も接近する時期が、赤色のＬＥＤの点灯期間の真中に一致するように、バックライトブロック１５ａの光源であるＬＥＤ１３ａ、１４ａのうち赤色のＬＥＤ点灯開始時期及び点灯終了時期を求めるとして説明したが、これに限らない。
【０２５９】
演算部４６が、時期Ｔ２０、すなわち、真中の画素７８ｂの表示素子の書き込み電圧波形８１ｂが、赤書き込み電圧７１に最も接近する時期における真中の画素７８ｂの表示素子の立ち上がりの傾きの大きさと立ち下がりの傾き大きさとの比率に応じてバックライトブロック１５ａの光源であるＬＥＤ１３ａ、１４ａのうち赤色のＬＥＤ点灯開始時期及び点灯終了時期を補正しても構わない。また、バックライトブロック１５ａの光源であるＬＥＤ１３ａ、１４ａのうち緑色のＬＥＤ及び青色のＬＥＤそれぞれの、点灯開始時期及び点灯終了時期を、赤色のＬＥＤと同様に補正しても構わない。
【０２６０】
例えば、図１４において、電圧波形８１ｂの時期Ｔ２０の左側の傾きの大きさは、電圧波形８１ｂの時期Ｔ２０の右側の傾きの大きさよりも小さくなっている。このような場合、まず、時期Ｔ２０、すなわち、真中の画素７８ｂの表示素子の書き込み電圧波形８１ｂが、赤書き込み電圧７１に最も接近する時期Ｔ２０が、赤色のＬＥＤの点灯期間の真中に一致するように、バックライトブロック１５ａの光源であるＬＥＤ１３ａ、１４ａのうち赤色のＬＥＤの点灯開始時期及び点灯終了時期を求める。
【０２６１】
その後、電圧波形８１ｂの時期Ｔ２０における左側の傾き（立ち下がりの傾き）の大きさと、時期Ｔ２０の右側の傾き（立ち上がりの傾き）の大きさとの比率に応じて、求めた赤色のＬＥＤの点灯開始時期及び点灯終了時期を補正することが出来る。
【０２６２】
図１４の場合には、時期Ｔ２０における左側の傾き（立ち下がりの傾き）の大きさの方が、時期Ｔ２０における右側に傾き（立ち上がりの傾き）の大きさより小さい。このような場合には、図１４において、赤色のＬＥＤの点灯開始時期及び点灯終了時期を、立ち下がりの傾きの大きさと立ち上がりの傾きの大きさとの比率に応じて、赤色のＬＥＤの点灯開始時期及び点灯終了時期を左側にシフトする。
【０２６３】
このように、求めた赤色のＬＥＤの点灯開始時期及び点灯終了時期を、電圧波形８１ｂの時期Ｔ２０における立ち下がりの傾きの大きさと、電圧波形８１ｂの時期Ｔ２０における立ち上がりの傾きの大きさとの比率に応じて補正することが出来る。バックライトブロック１５ａの光源であるＬＥＤ１３ａ、１４ａのうち緑色のＬＥＤ、及び青色のＬＥＤについても同様である。
【０２６４】
このようにすることによりさらに、高いコントラストの表示が可能になる。
【０２６５】
また、赤色のＬＥＤの点灯開始時期及び点灯終了時期の別の求め方として、図１４の電圧波形８１ｂを赤色のＬＥＤの点灯開始時期から赤色のＬＥＤの点灯終了時期までの時間で積分して得られる面積が極値をとるように、赤色のＬＥＤの点灯開始時期及び点灯終了時期を決定することも出来る。ただし、上記で電圧波形８１ｂを積分する区間の長さ（時間）は、赤色のＬＥＤの点灯期間に一致させて積分するものとする。緑色のＬＥＤ及び青色のＬＥＤに関しても同様である。このようにしても、第２の実施の形態と同様に高いコントラストの表示が可能になる。
【０２６６】
また、このような処理は、第１の実施の形態の図７で説明したような電圧波形７５ｂに対しても適用することが出来る。ただし電圧波形７５ｂにおいては、赤色のＬＥＤの点灯期間の時間的な長さによっては、極値が一意に決まらない場合が生じる。例えば図１０に示すように赤色のＬＥＤの点灯期間の時間的な長さが短くなった場合に、極値が一意に決まらない場合が生じる。このように、極値が一意に決まらない場合には、第１の実施の形態で説明した方法で、赤色のＬＥＤの点灯開始時期及び点灯終了時期を決めればよい。
【０２６７】
このように、電圧波形８１ｂや電圧波形７５ｂを赤色のＬＥＤの点灯開始時期から赤色のＬＥＤの点灯終了時期までの時間で積分して得られる面積が極値とるように、赤色のＬＥＤの点灯開始時期及び点灯終了時期を決定し、緑色のＬＥＤ及び青色のＬＥＤに関しても同様の処理を行うことにより、第１の実施の形態及び第２の実施の形態と同様に高いコントラストの表示が可能になる。
【０２６８】
さらに、第１及び第２の実施の形態では、液晶表示パネル１０が有する液晶層にＯＣＢモード液晶が用いられているとして説明したが、ＯＣＢモード液晶以外の液晶を用いても構わない。例えば、ＴＮ（ツイストネマチック）タイプの液晶層、ＳＴＮ（Ｓｕｐｅｒ−Ｔｗｉｓｔｅｄ  Ｎｅｍａｔｉｃ）モードの液晶層、ＤＳＭ（Ｄｙｎａｍｉｃ  Ｓｃａｔｔｅｒｉｎｇ  Ｍｏｄｅ：動的散乱モード）の液晶層、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折モード）の液晶層、ＶＡ（Ｖｅｒｔｉｃａｌｌｙ  Ａｌｉｇｎｅｄ）  ｍｏｄｅの液晶層などを用いても構わない。なお、液晶表示パネル１０でＣＲＴのようなインパルス型の表示に近づけるためには、高速応答性を有する液晶を用いることがより好ましい。
【０２６９】
さらに、また、第１の実施の形態の液晶表示装置１、及び第２の実施の形態の液晶表示装置１は、前述したように、従来の液晶表示装置１０１と同様にＯＣＢモードの液晶表示素子を用いた、フィールドシーケンシャル方式の液晶表示装置であるとして説明した。すなわち、ＯＣＢモードの液晶表示素子を用いた方が、ＴＮ（Ｔｗｉｓｔｅｄ  Ｎｅｍａｔｉｃ）配向液晶表示パネルを用いるより高速応答性の点で好ましい。
【０２７０】
しかしながら、このことは、上述したように、第１の実施の形態の液晶表示装置１の液晶表示パネル１０または第２に実施の形態の液晶表示パネル１０が、ＯＣＢモード液晶を用いるものであることに限定するものではなく、また、第１の実施の形態の液晶表示装置１の液晶表示パネル１０または第２に実施の形態の液晶表示パネル１０が、フィールドシーケンシャル方式の液晶表示パネルであることに限定するものでもない。
【０２７１】
第１の実施の形態の液晶表示装置１の液晶表示パネル１０、または第２の実施の形態の液晶表示装置１の液晶表示パネル１０として、ＴＮ（Ｔｗｉｓｔｅｄ  Ｎｅｍａｔｉｃ）配向液晶表示パネルなど、逆転移防止駆動を必要としない液晶層を用いた液晶表示パネルを用いて黒挿入駆動を行う場合についても、上記第１の実施の形態及び第２の実施の形態を以下のように適用することが出来る。
【０２７２】
すなわち、このような液晶表示装置の場合には、上記第１の実施の形態及び第２の実施の形態で説明した転移駆動を行う必要がない。それ以外は、第１の実施の形態または第２の実施の形態と同様である。
【０２７３】
また、フィールドシーケンシャル方式でなく、対向基板にカラーフィルタが形成された液晶表示装置にも第１の実施の形態や第２の実施の形態が適用出来ることは言うまでもない。
【０２７４】
このような液晶表示装置の場合には、上述した記述において、赤表示期間
（赤書き込み）と引き続く黒挿入期間（黒書き込み）とで１フレーム（または１フィールド期間）が構成されていると読み替え、さらに赤表示期間（赤書き込み）を表示期間（色書き込み）と読み替えれば、上述した記述をそのまま適用することが出来る。
【０２７５】
また、第１の実施の形態の液晶表示装置１及び第２の実施の形態の液晶表示装置１において、赤書き込み、黒挿入、緑書き込み、黒挿入、青書き込み、黒挿入の順に、液晶表示パネル１０を駆動するとして説明したが、これに限らない。
【０２７６】
赤書き込み、緑書き込み、青書き込み、黒挿入の順に液晶表示パネル１０を駆動する場合にも、第１の実施の形態及び第２の実施の形態を適用することが出来る。このように黒挿入の期間を１フレーム（または１フィールド）期間において一回に減らすことにより、赤書き込み、緑書き込み、青書き込みのそれぞれの期間を長くすることが出来るので、高輝度の表示が可能になる。
【０２７７】
また、赤書き込み、緑書き込み、青書き込みのいずれかの期間の前（過去）または後ろ（未来）で一回だけ黒挿入を行う場合にも、上記同様に高輝度の表示が可能になる。さらに、赤書き込み、緑書き込み、青書き込みの任意の２箇所の期間で黒挿入を行う場合も、上記と同様に高輝度の表示が可能になる。
【０２７８】
また、ＴＮ（Ｔｗｉｓｔｅｄ  Ｎｅｍａｔｉｃ）配向液晶表示パネルなど、逆転移防止駆動を必要としない液晶層を用いた液晶表示パネルを用いてフィールドシーケンシャル方式の表示を行う場合、すなわち、赤書き込み、緑書き込み、青書き込みの順に液晶表示パネル１０を駆動し、黒挿入を行わない場合にも、第１の実施の形態及び第２の実施の形態を適用することが出来る。
【０２７９】
なお、第１の実施の形態または第２の実施の形態において、調光を行う際、基準値記憶部４０に記憶されている輝度及び／または色度に一致するように、光センサ部２６が検知した各色の輝度を用いて、点灯比率を可変することによって、調光を行うとして説明したが、第１の実施の形態または第２の実施の形態で説明した調光の動作に加えて、以下に説明するような調光の動作を併用することにより、より精緻な調光が可能になる。
【０２８０】
まず第１の調光方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを点灯させるために供給する電圧を一定に保ち、電流を可変する方法である。緑色のＬＥＤ及び青色のＬＥＤについても同様の動作を行う。
【０２８１】
また、第２の調光方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを点灯させるために供給する電流を一定に保ち、電圧を可変する方法である。緑色のＬＥＤ及び青色のＬＥＤについても同様の動作を行う。
【０２８２】
また、第３の調光方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを点灯させるために供給する電流と電圧を両方可変する方法である。緑色のＬＥＤ及び青色のＬＥＤについても同様の動作を行う。
【０２８３】
また、第４の調光方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを、赤色のＬＥＤの点灯周期に比べて非常に短い周期（非常に高い周波数）でＰＷＭ（Ｐｕｌｓｅ  Ｗｉｄｔｈ  Ｍｏｄｕｌａｔｉｏｎ）制御する方法である。緑色のＬＥＤ及び青色のＬＥＤについても同様の動作を行う。
【０２８４】
上記第１〜４の調光方法を、第１の実施の形態または第２の実施の形態における調光方法と組み合わせることにより、輝度、輝度差、コントラストのより精緻な制御が可能になる。
【０２８５】
さらに、第１の実施の形態及び第２の実施の形態では、基準値記憶部４０に記憶されている基準となる輝度及び／または輝度に基づいて、調光制御部３３が点灯比率を決定し、点灯比率記憶部４４に記憶した。そして、点灯比率記憶部４４に記憶されている点灯比率に基づいて、演算部４６が各色のＬＥＤの点灯期間を決定し、さらに決定した各色のＬＥＤの点灯期間についての点灯開始時期及び点灯終了時期を決定したが、これに限定するものではない。
【０２８６】
例えば、第１の実施の形態においては、図７において、赤色の表示について説明すると、演算部４６が、図７の時期（Ｔ１＋Ｔ２）／２を決定したら、決定した時期時期（Ｔ１＋Ｔ２）／２を保持する。そして、演算部４６は、保持している時期（Ｔ１＋Ｔ２）／２を参照して、赤色のＬＥＤ点灯開始時期４７ａ及び赤色のＬＥＤ点灯終了時期４７ｂを決定してもよい。緑色のＬＥＤ及び青色のＬＥＤについても同様である。このように、時期（Ｔ１＋Ｔ２）／２等を一旦決定したらその時期を保持しておくことにより、１フレーム（または１フィールド）期間毎に、時期（Ｔ１＋Ｔ２）／２を再度計算して求める必要がないので、演算部４６における演算量を削減することが出来る。
【０２８７】
また、第２の実施の形態においては、図１１において、赤色の表示について説明すると、演算部４６が、図１１の時期Ｔ２０を決定したら、決定した時期Ｔ２０を保持する。そして、演算部４６は、保持している時期Ｔ２０を参照して、赤色のＬＥＤ点灯開始時期４７ａ及び赤色のＬＥＤ点灯終了時期４７ｂを決定してもよい。緑色のＬＥＤ及び青色のＬＥＤについても同様である。このように、時期Ｔ２０を一旦決定したらその時期を保持しておくことにより、１フレーム（または１フィールド）期間毎に、時期Ｔ２０等を再度計算して求める必要がないので演算部４６における演算量を削減することが出来る。
【０２８８】
さらに、第１及び第２の実施の形態では、バックライト１１の光源はＬＥＤ１３ａ〜１３ｅ、１４ａ〜１４ｅであるとして説明したが、これに限らず、バックライト１１の光源として冷陰極管を用いても構わない。また、バックライト１１の光源としてＥＬ素子を用いた表示装置を用いても構わない。要するに、バックライト１１の光源として、高速応答性を有する光源を用いさえすればよい。
【０２８９】
さらに、第１及び第２の実施の形態では、バックライト１１の光源としてＬＥＤが、各バックライトブロックの両側に一つずつ設けられているとして説明したが、これに限らない。各バックライトブロックに関して、その片側に１個設けても構わない。なお、この場合、ＬＥＤが設けられている側とは反対側に光センサ部２６を設けてもよい。
【０２９０】
さらに、第１及び第２の実施の形態では、バックライト１１が５個のバックライトブロック１５ａ〜１５ｅに分割されているとしたが、これに限らない。バックライト１１が複数のバックライトブロックに分割されておらず、ただ一つのバックライトから構成されていても構わない。さらに、バックライト１１が２個以上のバックライトブロックに分割されており、多くとも液晶表示パネルの縦方向の画素数（走査線の本数）に等しい個数のバックライトブロックに分割されていてもよい。なお、液晶表示パネルの縦方向の画素数（走査線の本数）の１／５程度の個数から走査線の本数に等しい個数のバックライトとしては、例えばＥＬ表示装置を用いて構成することも可能である。
【０２９１】
尚、本発明のプログラムは、上述した本発明の液晶表示装置の全部又は一部の部の機能をコンピュータにより実行させるためのプログラムであって、コンピュータと協働して動作するプログラムである。
【０２９２】
又、本発明の記録媒体は、上述した本発明の液晶表示装置の全部又は一部の部等の全部又は一部の機能をコンピュータにより実行させるためのプログラムを記録した記録媒体であり、コンピュータにより読み取り可能且つ、読み取られた前記プログラムが前記コンピュータと協動して前記機能を実行する記録媒体である。
【０２９３】
尚、本発明の上記「一部の部等」とは、それらの複数の部の内の、一つ又は幾つかの部を意味する。
【０２９４】
又、本発明の上記「部等の機能」とは、前記部の全部又は一部の機能を意味する。
【０２９５】
又、本発明のプログラムの一利用形態は、コンピュータにより読み取り可能な、ＲＯＭ等の記録媒体に記録され、コンピュータと協働して動作する態様であっても良い。
【０２９６】
又、本発明のプログラムの一利用形態は、インターネット等の伝送媒体、光・電波・音波等の伝送媒体中を伝送し、コンピュータにより読みとられ、コンピュータと協働して動作する態様であっても良い。
【０２９７】
又、上述した本発明のコンピュータは、ＣＰＵ等の純然たるハードウェアに限らず、ファームウェアや、ＯＳ、更に周辺機器を含むものであっても良い。
【０２９８】
尚、以上説明した様に、本発明の構成は、ソフトウェア的に実現しても良いし、ハードウェア的に実現しても良い。
【産業上の利用可能性】
【０２９９】
本発明に係る液晶表示装置、液晶表示装置の駆動方法、プログラム、及び記録媒体は、良好なコントラストで映像を表示することが出来るという効果を有し、間欠的に点灯する間欠点灯が可能である、液晶表示パネルを照明するバックライトを備えた液晶表示装置、液晶表示装置の駆動方法、プログラム、及び記録媒体等に有用である。
【０３００】
本発明に係る液晶表示装置、液晶表示装置の駆動方法、プログラム、及び記録媒体は、表示画面の場所によって輝度差が生じることを抑制することが出来るとう効果を有し、間欠的に点灯する間欠点灯が可能である、液晶表示パネルを照明するバックライトを備えた液晶表示装置、液晶表示装置の駆動方法、プログラム、及び記録媒体等に有用である。
【０３０１】
本発明に係る液晶表示装置、液晶表示装置の駆動方法、プログラム、及び記録媒体は、バックライトの点灯期間と輝度に見合っただけの高輝度の表示が可能であるという効果を有し、間欠的に点灯する間欠点灯が可能である、液晶表示パネルを照明するバックライトを備えた液晶表示装置、液晶表示装置の駆動方法、プログラム、及び記録媒体等に有用である。
【０３０２】
本発明に係る液晶表示装置、液晶表示装置の駆動方法、プログラム、及び記録媒体は、表示パネルの表示画面のコントラストの高低、輝度の大小、及び輝度差の程度を設計値通りに自由に調光することが出来るという効果を有し、間欠的に点灯する間欠点灯が可能である、液晶表示パネルを照明するバックライトを備えた液晶表示装置、液晶表示装置の駆動方法、プログラム、及び記録媒体等に有用である。
【図面の簡単な説明】
【０３０３】
【図１】本発明の第１及び第２の実施の形態における液晶表示装置の構成を示すブロック図
【図２】（ａ）本発明の第１及び第２の実施の形態における液晶表示装置に用いられるバックライトの概要を示す平面図  （ｂ）本発明の第１及び第２の実施の形態における液晶表示装置に用いられるバックライトの概要を示す側面図
【図３】本発明の第１及び第２の実施の形態における液晶表示装置の照明系の詳細な構成を示すブロック図
【図４】（ａ）本発明の第１及び第２の実施の形態における液晶表示装置に用いられる光センサ部の概要を示す平面図  （ｂ）本発明の第１及び第２の実施の形態における液晶表示装置に用いられる光センサ部の概要を示す断面図
【図５】本発明の第１及び第２の実施の形態における液晶表示装置の画素の構成を示す等価回路
【図６】本発明の第１及び第２の実施の形態におけるバックライトブロックと、バックライトブロックに対向する液晶表示パネルの表示領域の部分との関係を示す図
【図７】本発明の第１の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図８】（ａ）本発明の第１の実施の形態における解析結果記憶部に記憶されている情報を示す図  （ｂ）本発明の第１の実施の形態における時期記憶部に記憶されている情報を示す図
【図９】本発明の第１の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１０】本発明の第１の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１１】本発明の第２の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１２】（ａ）本発明の第２の実施の形態における解析結果記憶部に記憶されている情報を示す図  （ｂ）本発明の第２の実施の形態における時期記憶部に記憶されている情報を示す図
【図１３】本発明の第２の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１４】本発明の第２の実施の形態における液晶表示装置のバックライトブロックに対向する液晶表示パネルの表示領域内に存在する走査線のうち特定の走査線上の特定の特定の画素の表示素子に書き込まれた電圧波形と、バックライトブロックの各色の点灯消灯状態を示すタイミングチャート図
【図１５】（ａ）ＯＣＢモードの表示素子が有する液晶分子の配向状態を模式的に示した断面図であり、電圧印加状態を示す断面図  （ｂ）ＯＣＢモードの表示素子が有する液晶分子の配向状態を模式的に示した断面図であり、電圧印加状態を示す断面図  （ｃ）ＯＣＢモードの表示素子が有する液晶分子の配向状態を模式的に示した断面図であり、電圧無印加状態を示した断面図
【図１６】従来の液晶表示装置の構成を示すブロック図
【図１７】従来の液晶表示装置１０１の特定の画素の表示素子に書き込まれた電圧波形と、バックライト１１１の各色の点灯消灯状態を示すタイミングチャート図
【符号の説明】
【０３０４】
１  液晶表示装置
２  ソースドライバ
３  ゲートドライバ
４  コントローラ
１０  液晶表示パネル
１１  バックライト
１３ａ、１３ｂ、１３ｃ、１３ｄ、１３ｅ  ＬＥＤ
１４ａ、１４ｂ、１４ｃ、１４ｄ、１４ｅ  ＬＥＤ
１５ａ、１５ｂ、１５ｃ、１５ｄ、１５ｅ  バックライトブロック
１６  入力電源
１７  液晶駆動電圧発生回路
１８  調光部
１９  バックライト制御部
２１  信号処理部
２３  タイミング制御部
２４  Ｄ／Ａ変換部
２５  シフトレジスタ
３３  調光制御部
４０  基準値記憶部
４４  点灯比率記憶部
４５  解析結果記憶部
４６  演算部
４７  時期記憶部
【図１】
2008096927.tif 000003
【図２】
2008096927.tif 000004
【図３】
2008096927.tif 000005
【図４】
2008096927.tif 000006
【図５】
2008096927.tif 000007
【図６】
2008096927.tif 000008
【図７】
2008096927.tif 000009
【図８】
2008096927.tif 000010
【図９】
2008096927.tif 000011
【図１０】
2008096927.tif 000012
【図１１】
2008096927.tif 000013
【図１２】
2008096927.tif 000014
【図１３】
2008096927.tif 000015
【図１４】
2008096927.tif 000016
【図１５】
2008096927.tif 000017
【図１６】
2008096927.tif 000018
【図１７】
2008096927.tif 000019